(57)【要約】【課題】コンクリート型枠に簡単かつ素早く取り付けてコンクリート型枠をしっかりと支持すると共に、外壁や間仕切りの壁、擁壁の施工を終えた後に簡単に取り外すことができるコンクリート型枠の型枠仮支持具に用いる伸縮アダプタ及びこれを備えた型枠仮支持具を提供する。【解決手段】伸縮アダプタは、サポートスライド部１００と、接続板２２００と、円筒体３００と、押さえ板２４００と、締結具２５００を有し、腰管２０の調整雄ネジ２１の所定位置までねじ込んだ状態で、支持ピン３５を支持ピン挿通用スリット２２及び特定の支持ピン挿通孔３２に差し込んだ状態で、伸縮アダプタのハンドル部１２０の腰管軸線周りの回転操作によって調整雄ネジの長手方向に沿って移動させ、腰管の調整雄ネジに対する伸縮アダプタのねじ込み位置に応じて腰管の台板と差し込み管の受板との間隔を調整可能とする。【選択図】図９
2018172958.tif 000002
【特許請求の範囲】
【請求項１】
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピン挿通用スリットが形成され、前記差し込み管の上端部には受け板が備わると共に、前記差し込み管の長手方向に沿って所定の間隔で当該差し込み管の直径方向対向する位置に支持ピン挿通孔が形成されており、
前記伸縮アダプタは、サポートスライド部と、接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘って前記本体鍔部に当接するスライド本体当接用鍔部を有すると共に、周面の直径方向対向する位置に支持ピン挿通孔を設け、
前記接続板は、前記本体鍔部及び前記スライド本体当接用鍔部を挿入可能な鍔部挿入孔を備え、
前記押さえ板は、前記円筒体の外径よりも大きい内径であって前記円筒体のスライド本体当接用鍔部の外径よりも小さい内径の円筒体挿通孔を有し、前記サポートスライド本体の本体鍔部が前記接続板の鍔部挿入孔に挿入されかつ前記円筒体のスライド本体当接用鍔部が前記本体鍔部に当接した状態で、前記円筒体がその中心軸線周りに回転せずに前記サポートスライド本体及び前記接続板が回転可能なように前記円筒体を前記サポートスライド本体の本体鍔部に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴とする伸縮アダプタ。
【請求項２】
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピン挿通用スリットが形成され、前記差し込み管の上端部には受け板が備わると共に、前記差し込み管の長手方向に沿って所定の間隔で当該差し込み管の直径方向対向する位置に支持ピン挿通孔が形成されており、
前記伸縮アダプタは、サポートスライド部と、互いに重なり合う上側接続板及び下側接続板からなる接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘ってスライド本体当接用鍔部を有すると共に、周面の直径方向対向する位置に支持ピン挿通孔を設け、
前記接続板は、前記上側接続板が前記円筒体のスライド本体当接用鍔部を挿入可能な鍔部挿入孔を備えると共に、前記下側接続板が前記腰管を挿通させる腰管挿通穴を有し、当該腰管挿通穴の内径は、当該腰管挿通穴の周囲全周に亘って一方の面に前記サポートスライド部の本体鍔部が当接すると共に他方の面に前記円筒体のスライド本体当接用鍔部が当接する寸法を有しており、
前記押さえ板は、前記円筒体の外径よりも大きい内径であって前記円筒体のスライド本体当接用鍔部の外径よりも小さい内径の円筒体挿通孔を有し、
前記サポートスライド本体の本体鍔部が前記下側接続板の腰管挿通穴の一方の面の周囲に全周に亘って当接すると共に前記円筒体のスライド本体当接用鍔部が前記下側接続板の腰管挿通穴の他方の面の周囲に全周に亘って当接し、かつ前記スライド本体当接用鍔部が前記上側接続板の鍔部挿入孔に挿入された状態で、前記円筒体がその中心軸線周りに回転せずに前記サポートスライド本体及び前記接続板が回転可能なように、前記押さえ板によって前記円筒体のスライド本体当接用鍔部を前記下側接続板に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴とする伸縮アダプタ。
【請求項３】
前記接続板と押さえ板は、前記円筒体のスライド本体当接用鍔部を挟んだ状態で溶接によって互いに結合されていることを特徴とする請求項１又は請求項２に記載の伸縮アダプタ。
【請求項４】
請求項１乃至請求項３の何れかに記載の伸縮アダプタに加えて、腰管、差し込み管、支持ピンを備えたことを特徴とする型枠仮支持具。
【請求項５】
請求項４に記載の腰管の端部に備わった台板をコンクリートスラブに取り付ける台板受け具であって、
前記台板受け具は、前記コンクリートスラブに固定されるベース板と、ベース板に対して角度を変えることができる台板支持体と、台板支持体に備わる台板押さえ係合体を有しており、
前記台板支持体は、前記腰管に差し込まれる腰管挿通部と、腰管挿通部から延在する台板支持部を有し、前記腰管挿通部と台板支持部との間に形成される段差部によって前記台板の所定部分が当接してこれを支持するようになっており、
前記台板押さえ係合体は、前記台板の一片の縁部に係合する係合部と、この係合部の前記台板との係合解除する係合解除部を有し、
前記係合部は、前記台板に係合した状態で前記腰管挿通部と前記段差部と協働して前記台板を前記台板受け具に固定するようになっており、
前記係合解除部は、前記係合部を前記台板の縁部から離間させることで前記係合部と前記台板との係合を解除し、この解除した状態において前記腰管を前記腰管挿通部から抜き出して前記台板を前記台板受け具から取り外し可能になったことを特徴とする台板受け具。
【請求項６】
請求項４に記載の差し込み管の端部に備わった受板を横バタ材に取り付ける受け板固定具であって、
受け板固定具は、横バタ材に固定される横バタ材押さえ部と、横バタ材押さえ部に対して角度を変えることができる受板押さえ当接部と、前記受板押さえ当接部に備わる受板押さえ係合体を有しており、
前記受板押さえ当接部は、差し込み管に差し込まれる差し込み管挿入部と、差し込み管挿入部から延在する受板押し付け部を有し、前記差し込み管挿入部と受板押し付け部との間に形成される段差部によって前記受板の所定部分が当接するようになっており、
前記受板押さえ係合体は、前記受板の一片の縁部に係合する係合部と、この係合部の受板との係合解除する係合解除部を有し、
前記係合部は、前記受板に係合した状態で前記差し込み管挿入部と前記段差部と協働して前記受板を前記受け板固定具に固定するようになっており、
前記係合解除部は、前記係合部を前記受板の縁部から離間させることで前記係合部と前記受板との係合を解除し、この解除した状態において前記差し込み管を前記差し込み管挿入部から抜き出して前記受板を前記受け板固定具から取り外し可能になったことを特徴とする受け板固定具。
【発明の詳細な説明】
【技術分野】
【０００１】
本発明は、コンクリート型枠の歪みを矯正すると共に垂直に固定するための型枠仮支持具に用いる伸縮アダプタ及びこの伸縮アダプタを備えた型枠仮支持具であって、コンクリート型枠に簡単かつ素早く取り付けてコンクリート型枠をしっかりと支持することができると共に、外壁や間仕切りの壁、擁壁の施工を終えた後に簡単に取り外すことができるものに関する。
【背景技術】
【０００２】
ビルやマンションの外壁や間仕切りの壁、擁壁等を施工する際にコンクリート型枠の歪みの修正を行うと共にコンクリート型枠がこれが起立する床面に対して垂直状態を保つようにするためにコンクリート型枠を押したり引いたりする作業に用いる型枠仮支持具が知られている（例えば、特許文献１参照）。
【０００３】
係る特許文献１において開示された型枠仮支持具は、パイプサポートとチェーンを組み合わせてなり、パイプサポートの下端部をコンクリートスラブ（床面）の所定位置にアンカーボルトを介して固定された支持金具に突き当て、上端部を横バタ材に突き当てた状態で両端部が支持金具や横バタ材にしっかりと押し付けられるような長さに調整していわゆる突っ張り棒としてコンクリート型枠の押し出しを行う。
【０００４】
一方、このように取り付けたパイプサポートによってコンクリート型枠が一方向に傾くのを防止するために、横バタ材の一部にチェーン引き金物を取り付けてチェーンの一方の端部を繋ぐと共にチェーンの他方の端部を支持金具につなぎ、ターンバックルを介して遅延の一方の端部と他方の端部の長さを短く調整することで、横バタ材を支持金具が取付けられたコンクリートスラブ側に引っ張り、コンクリート型枠の引き寄せを行う。これによって、コンクリート型枠の歪み修正を行い、コンクリートスラブ（床面）に対して最適な垂直状態を保つようにしている。
【先行技術文献】
【特許文献】
【０００５】
【特許文献１】特開２０１５-４８５９６号公報
【発明の概要】
【発明が解決しようとする課題】
【０００６】
ビルやマンションの外壁や間仕切りの壁、擁壁はその規模に基づく大きさから明らかなように、これを施工するためのコンクリート型枠も非常に長さの長い大がかりなものになっている。そのため、コンクリート型枠全体に亘って横方向に延在する横バタ材の長さも非常に長くなる。そのため、コンクリート型枠の歪みの修正や垂直状態の維持のために横バタ材に所定間隔で固定する型枠仮支持具の数も極めて多数にわたる。即ち、コンクリート型枠を床面にしっかりと施工する際は、これら多数の型枠仮支持具を所定間隔ごとに取り付けることが必要となる。
【０００７】
ここで、この補強材の取付にあたって、上述した特許文献において開示された型枠仮支持具を用いたコンクリート型枠の歪みの修正や垂直状態を維持するための工程について説明する。
【０００８】
最初に第一の工程としてパイプサポートの下端部をコンクリートスラブや土からなる床面の所定位置にアンカーボルトを介して固定された支持金具に突き当て、同じく上端部を横バタ材に突き当てた状態とする。そして、パイプサポートの長さを調整してこれが突っ張ることにより両端部が支持金具や横バタ材にしっかりと押し付けられるようにする。これによって、床面に対するコンクリート型枠の起立角度が、型枠仮支持具の取り付け側と若干反対側に倒れるような角度となる。
【０００９】
次いで、第二の工程として、このように取り付けたパイプサポートによってコンクリート型枠が上述のように反対側に若干倒れたままとなるのを元に戻すために、横バタ材の一部にチェーン引き金物を取り付けてチェーンの一方の端部を繋ぐと共にチェーンの他方の端部を支持金具に繋ぐ。ついで、ターンバックルを介してチェーンの一方の端部と他方の端部の長さを短く調整することで、横バタ材を支持金具が取付けられたコンクリートスラブ側に引っ張り、コンクリート型枠の歪みを修正すると共に、コンクリート型枠がコンクリートスラブ（床面）に対して垂直な状態を保つようにする。
【００１０】
このように特許文献１に記載の補強材をコンクリート型枠に取り付ける際に一つの型枠仮支持具に関して第一の工程に加えて第二の工程を必要とする。ビルやマンション、擁壁の型枠は上述したように非常に大掛かりなものなので、極めて多数の型枠仮支持具をコンクリート型枠に所定間隔で取り付けなければならないため、この取り付け作業を全て行うために大変な時間と労力を施工者が必要とすることになる。
【００１１】
ビルやマンション、擁壁のスケジュールは予め定められており、このスケジュール内に天候などを考慮して施工作業を迅速に行わなければならない。これに従って、ビルやマンションの外壁や間仕切りの壁、擁壁等を施工する際にコンクリート型枠を取り付ける作業も短期間で迅速に行わなければならない。
【００１２】
しかしながら、一般的に施工者の十分な人員を確保することは、施工者の慢性的な人員不足や人的な施工コストを抑える観点から難しい。一方、限られた人数の施工者に上述のような多大な作業を短期間で行わせることは、作業中に施工者の疲労が嵩み安全上問題も生じ好ましくない。
【００１３】
また、実際の施工現場は非常に狭い場合が多く、パイプサポートを取り付けた後にチェーンを取り付けてターンバックルでチェーンの長さを調整する作業を行うと、この狭い作業エリアで多くの作業を行うこととなり、施工者が無理な姿勢で作業を行うことで施工者の身体的負担が増したり、チェーンとターンバックルが邪魔してコンクリートスラブの支持金具に足を引っ掛けて思わぬ怪我をしてしまったりする虞がある。
【００１４】
また、施工現場で多数使用する補強材のそれぞれにチェーン及びターンバックルを備えなければならず、施工作業を行うにあたってコストがかかり問題が生じる。また、施工作業を始める際に多数のチェーンを施工現場まで搬送しなければならず、この間にチェーン同士が絡まったりして、実際にそれぞれのパイプシャフトをコンクリートスラブとコンクリート型枠との間に介在させた後、チェーンを取り付けようとする際に多数のチェーン同士が絡まり合ってしまい、これを１本ずつ分けるのに余計な時間を要してしまい、作業効率が低下する。
【００１５】
本発明の目的は、コンクリート型枠の型枠仮支持具に用いる伸縮アダプタ及びこの伸縮アダプタを備えた型枠仮支持具あって、コンクリート型枠に簡単かつ素早く取り付けてコンクリート型枠をしっかりと支持すると共に、外壁や間仕切りの壁、擁壁の施工を終えた後に簡単に取り外すことができるコンクリート型枠の型枠仮支持具に用いる伸縮アダプタ及びこれを備えた型枠仮支持具を提供することにある。
【課題を解決するための手段】
【００１６】
上述の課題を解決するために、本発明の請求項１に係る伸縮アダプタは、
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピン挿通用スリットが形成され、前記差し込み管の上端部には受け板が備わると共に、前記差し込み管の長手方向に沿って所定の間隔で当該差し込み管の直径方向対向する位置に支持ピン挿通孔が形成されており、
前記伸縮アダプタは、サポートスライド部と、接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘って前記本体鍔部に当接するスライド本体当接用鍔部を有すると共に、周面の直径方向対向する位置に支持ピン挿通孔を設け、
前記接続板は、前記本体鍔部及び前記スライド本体当接用鍔部を挿入可能な鍔部挿入孔を備え、
前記押さえ板は、前記円筒体の外径よりも大きい内径であって前記円筒体のスライド本体当接用鍔部の外径よりも小さい内径の円筒体挿通孔を有し、前記サポートスライド本体の本体鍔部が前記接続板の鍔部挿入孔に挿入されかつ前記円筒体のスライド本体当接用鍔部が前記本体鍔部に当接した状態で、前記円筒体がその中心軸線周りに回転せずに前記サポートスライド本体及び前記接続板が回転可能なように前記円筒体を前記サポートスライド本体の本体鍔部に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴としている。
【００１７】
また、本発明の請求項２に係る伸縮アダプタは、
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピン挿通用スリットが形成され、前記差し込み管の上端部には受け板が備わると共に、前記差し込み管の長手方向に沿って所定の間隔で当該差し込み管の直径方向対向する位置に支持ピン挿通孔が形成されており、
前記伸縮アダプタは、サポートスライド部と、互いに重なり合う上側接続板及び下側接続板からなる接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘ってスライド本体当接用鍔部を有すると共に、周面の直径方向対向する位置に支持ピン挿通孔を設け、
前記接続板は、前記上側接続板が前記円筒体のスライド本体当接用鍔部を挿入可能な鍔部挿入孔を備えると共に、前記下側接続板が前記腰管を挿通させる腰管挿通穴を有し、当該腰管挿通穴の内径は、当該腰管挿通穴の周囲全周に亘って一方の面に前記サポートスライド部の本体鍔部が当接すると共に他方の面に前記円筒体のスライド本体当接用鍔部が当接する寸法を有しており、
前記押さえ板は、前記円筒体の外径よりも大きい内径であって前記円筒体のスライド本体当接用鍔部の外径よりも小さい内径の円筒体挿通孔を有し、
前記サポートスライド本体の本体鍔部が前記下側接続板の腰管挿通穴の一方の面の周囲に全周に亘って当接すると共に前記円筒体のスライド本体当接用鍔部が前記下側接続板の腰管挿通穴の他方の面の周囲に全周に亘って当接し、かつ前記スライド本体当接用鍔部が前記上側接続板の鍔部挿入孔に挿入された状態で、前記円筒体がその中心軸線周りに回転せずに前記サポートスライド本体及び前記接続板が回転可能なように、前記押さえ板によって前記円筒体のスライド本体当接用鍔部を前記下側接続板に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴としている。
【００１８】
また、本発明の請求項３に係る伸縮アダプタは、請求項１又は請求項２に記載の伸縮アダプタにおいて、
前記接続板と押さえ板は、前記円筒体のスライド本体当接用鍔部を挟んだ状態で溶接によって互いに結合されていることを特徴としている。
【００１９】
また、本発明の請求項４に係る型枠仮支持具は、
請求項１乃至請求項３の何れかに記載の伸縮アダプタに加えて、腰管、差し込み管、支持ピンを備えたことを特徴としている。
【００２０】
また、本発明の請求項５に係る台板受け具は、
請求項４に記載の腰管の端部に備わった台板をコンクリートスラブに取り付ける台板受け具であって、
前記台板受け具は、前記コンクリートスラブに固定されるベース板と、ベース板に対して角度を変えることができる台板支持体と、台板支持体に備わる台板押さえ係合体を有しており、
前記台板支持体は、前記腰管に差し込まれる腰管挿通部と、腰管挿通部から延在する台板支持部を有し、前記腰管挿通部と台板支持部との間に形成される段差部によって前記台板の所定部分が当接してこれを支持するようになっており、
前記台板押さえ係合体は、前記台板の一片の縁部に係合する係合部と、この係合部の前記台板との係合解除する係合解除部を有し、
前記係合部は、前記台板に係合した状態で前記腰管挿通部と前記段差部と協働して前記台板を前記台板受け具に固定するようになっており、
前記係合解除部は、前記係合部を前記台板の縁部から離間させることで前記係合部と前記台板との係合を解除し、この解除した状態において前記腰管を前記腰管挿通部から抜き出して前記台板を前記台板受け具から取り外し可能になったことを特徴としている。
【００２１】
また、本発明の請求項６に係る受け板固定具は、
請求項４に記載の差し込み管の端部に備わった受板を横バタ材に取り付ける受け板固定具であって、
受け板固定具は、横バタ材に固定される横バタ材押さえ部と、横バタ材押さえ部に対して角度を変えることができる受板押さえ当接部と、前記受板押さえ当接部に備わる受板押さえ係合体を有しており、
前記受板押さえ当接部は、差し込み管に差し込まれる差し込み管挿入部と、差し込み管挿入部から延在する受板押し付け部を有し、前記差し込み管挿入部と受板押し付け部との間に形成される段差部によって前記受板の所定部分が当接するようになっており、
前記受板押さえ係合体は、前記受板の一片の縁部に係合する係合部と、この係合部の受板との係合解除する係合解除部を有し、
前記係合部は、前記受板に係合した状態で前記差し込み管挿入部と前記段差部と協働して前記受板を前記受け板固定具に固定するようになっており、
前記係合解除部は、前記係合部を前記受板の縁部から離間させることで前記係合部と前記受板との係合を解除し、この解除した状態において前記差し込み管を前記差し込み管挿入部から抜き出して前記受板を前記受け板固定具から取り外し可能になったことを特徴としている。
【発明の効果】
【００２２】
本発明によると、コンクリート型枠の型枠仮支持具に用いる伸縮アダプタ及びこの伸縮アダプタを備えた型枠仮支持具あって、コンクリート型枠に簡単かつ素早く取り付けてコンクリート型枠をしっかりと支持することができると共に、外壁や間仕切りの壁、擁壁の施工を終えた後に簡単に取り外すことができるコンクリート型枠の型枠仮支持具に用いる伸縮アダプタ及びこれを備えた型枠仮支持具を提供することができる。
【図面の簡単な説明】
【００２３】
【図１】本発明の第１の実施形態に係る伸縮アダプタとこれを取り付けた型枠仮支持具の一部を示す斜視図である。
【図２】図１に示した伸縮アダプタを構成する各部品の分解斜視図である。
【図３】図１に示した伸縮アダプタの軸線方向に沿って切断した断面図である。
【図４】図３に対応する断面図であって、伸縮アダプタを図３の状態から軸線周りに９０度回転させた状態で示す断面図である。
【図５】図３に示した伸縮アダプタ本体の一部断面図（図５（ａ））、締結具の一方をなすＵボルト（図５（ｂ））、及び締結具の他方をなす角型ボルト（図５（ｃ））である。
【図６】腰管の下端部に備わった台板を固定する台板受け具を示す斜視図（図６（ａ））及び受け板固定具をこれが取り付けられた横バタ材と共に示す側面図（図６（ｂ））である。
【図７】本実施形態に係る伸縮アダプタを備えた型枠仮支持具を用いてコンクリート型枠の歪みの修正や垂直出しを行う工程を（図７（ａ））から（図７（ｂ））の順に説明する図であり、各構成要素の寸法関係や大小関係、取り付け位置及び角度状態については概略的に示している。
【図８】差し込み管同士を連結させて擁壁などのコンクリート型枠に本実施形態に係る型枠仮支持具を用いる際に使用する差し込み管連結具をこの両端に差し込み管を接続した状態で示す長手方向側面図（図８（ａ））及び長手方向端面から見た一部断面図（図８（ｂ））である。
【図９】本発明の第２の実施形態に係る伸縮アダプタとこれを取り付けた型枠仮支持具の一部を示す斜視図である。
【図１０】図９に示した伸縮アダプタを構成する各部品の分解斜視図である。
【図１１】図９に示した伸縮アダプタの軸線方向に沿って切断した断面図である。
【図１２】図１１に対応する断面図であって、伸縮アダプタを図１１の状態から軸線周りに９０度回転させた状態で示す断面図である。
【図１３】図９に示した伸縮アダプタ本体の一部断面図（図１３（ａ））、締結具の一方をなすＵボルト（図１３（ｂ））、及び締結具の他方をなす角型ボルト（図１３（ｃ））である。
【図１４】腰管の下端部に備わった台板を固定する台板受け具を示す斜視図である。
【図１５】図１４に示した台板受け具を分解して示す斜視図である。
【図１６】図１４に示した台板受け具の使用状態を示す側面図である。
【図１７】差し込み管の上端に備わる受板固定具をこれが取り付けられた横バタ材と共に示す斜視図である。
【図１８】図１７に示した受板固定具を分解して示す斜視図である。
【図１９】図１７に示した受板固定具の使用状態を示す側面図である。
【発明を実施するための形態】
【００２４】
以下、本発明の第１の実施形態に係る伸縮アダプタ（以下、適宜単に「伸縮アダプタ」とする）及びこれを備えた型枠仮支持具について図面に基づいて説明する。なお、この伸縮アダプタ及びこれを備えた型枠仮支持具は、ビルやマンションの外壁や間仕切りの壁、擁壁等を施工する際にコンクリート型枠の歪みの修正を行うと共にコンクリート型枠をこれが起立する床面に対して垂直に固定するためにコンクリート型枠を押したり引いたりする作業に用いるためのものである。
【００２５】
続いて、第１の実施形態に係る伸縮アダプタの概略構成について説明する。この第１の実施形態に係る伸縮アダプタは、コンクリート用型枠の仮支持具に用いる伸縮アダプタであって、伸縮アダプタが取り付けられる型枠サポートパイプは、腰管と腰管に一部が挿通して固定される差し込み管を備え、記腰管の下端部に台板が備わり上端部から下端部に向けて外周に一定の距離だけ調整雄ネジが形成されると共に、調整雄ネジ形成部の少なくとも一部に腰管の長手方向に沿って腰管の直径方向対向する位置に支持ピン挿通用スリットが形成され、差し込み管の上端部には受け板が備わると共に、記差し込み管の長手方向に沿って所定の間隔で当該差し込み管の直径方向対向する位置に支持ピン挿通孔が形成されている。
【００２６】
そして、伸縮アダプタは、サポートスライド部と、接続板と、円筒体と、押さえ板と、締結具を有し、サポートスライド部は、腰管の調整雄ネジに着脱自在にねじ込むことが可能な雌ネジ部を内周に備えるサポートスライド本体と、サポートスライド本体を腰管の調整雄ネジに対して腰管の長手方向所定位置まで螺合させることができると共に、接続板当接部を有したサポートスライド本体回転用のハンドル部と、ハンドル部とサポートスライド本体の直径方向反対側の位置から突出した突出部と、サポートスライド本体に備わった本体鍔部を有している。
【００２７】
円筒体は、一方の端部に全周に亘って本体鍔部に当接するスライド本体当接用鍔部を有すると共に、周面の直径方向対向する位置に支持ピン挿通孔を設けている。
【００２８】
接続板は、前記本体鍔部及びスライド本体当接用鍔部を挿入可能な鍔部挿入孔を備え、押さえ板は、円筒体の外径よりも大きい内径であって円筒体のスライド本体当接用鍔部の外径よりも小さい内径の円筒体挿通孔を有し、サポートスライド本体の本体鍔部が接続板の鍔部挿入孔に挿入されかつ円筒体のスライド本体当接用鍔部が本体鍔部に当接した状態で、円筒体がその中心軸線周りに回転せずにサポートスライド本体及び接続板が回転可能なように円筒体をサポートスライド本体の本体鍔部に押さえるようになっており、締結具は、サポートスライド部に接続板と円筒体と押さえ板を取り付けるようになっている。
【００２９】
そして、伸縮アダプタは、腰管の調整雄ネジの所定位置までねじ込んだ状態で、腰管の支持ピン挿通用スリット及び腰管に差し込んだ差し込み管の支持ピン挿通孔と円筒体の特定の支持ピン挿通孔を合致させて支持ピンを支持ピン挿通用スリット及び特定の支持ピン挿通孔に差し込んだ状態で、伸縮アダプタのハンドル部の腰管軸線周りの回転操作によって調整雄ネジの長手方向に沿って移動可能となっており、腰管の調整雄ネジに対する伸縮アダプタのねじ込み位置に応じて腰管の台板と前記差し込み管の受板との間隔を調整可能とすることを特徴としている。
【００３０】
以下、この第１の実施形態に係る伸縮アダプタの詳細の構成について図面に基づいて説明する。図１は、本発明の第１の実施形態に係る伸縮アダプタとこれを取り付けた型枠仮支持具の一部を示す斜視図である。また、図２は、図１に示した伸縮アダプタを構成する各部品の分解斜視図である。また、図３は、図１に示した伸縮アダプタの軸線方向に沿って切断した断面図である。また、図４は、図３に対応する断面図であって、伸縮アダプタを図３の状態から軸線周りに９０度回転させた状態で示す断面図である。また、図７は、本実施形態に係る伸縮アダプタを備えた型枠仮支持具を示している。なお、伸縮アダプタと腰管、差し込み管に支持ピンを差し込んだ状態については、特に図４において分かり易く示している。
【００３１】
また、以下の説明において水平方向、垂直方向（鉛直方向）、上下方向、左右方向については、図１に一部を示すと共に図７（ａ）に示すように、型枠仮支持具を水平のスラブに鉛直（垂直）方向に立てた状態を基準として各方向を示すものとする。
【００３２】
最初に、本実施形態に係る伸縮アダプタ１０を備えた型枠仮支持具１の構造について説明する。型枠仮支持具１は、腰管２０と、腰管２０に一部が挿通して固定される差し込み管３０を備えている。腰管２０は、その下端部に台板２６（図７参照）が備わり、上端部から下端部に向けて外周に一定の距離だけ調整雄ネジ２１が形成されると共に、調整雄ネジ２１の一部に腰管２０の長手方向に沿って腰管２０の直径方向対向する位置に支持ピン挿通用スリット２２が形成されている。
【００３３】
また、差し込み管３０は、その上端部に受け板３７（図７参照）が備わると共に、差し込み管３０の長手方向に沿って所定の間隔で差し込み管の直径方向対向する位置に支持ピン挿通孔３２が形成されている。
【００３４】
続いて、本実施形態に係る伸縮アダプタ１０について説明する。伸縮アダプタ１０は、図１乃至図３に示すように、サポートスライド部１００と、接続板２００と、円筒体３００と、押さえ板４００と、これらを締め付ける締結具５００を有している。なお、図５は、図３に示した伸縮アダプタ本体の一部断面図（図５（ａ））、締結具の一方をなすＵボルト５１０（図５（ｂ））、及び締結具の他方をなす角型ボルト５２０（図５（ｃ））である。
【００３５】
サポートスライド部１００は、図２及び図５に示すように、本実施形態では略円筒体形状を有し、腰管２０の調整雄ネジ２１に着脱自在にねじ込むことが可能な雌ネジ部１１１が内周面全体に形成された腰管螺合孔１１２を備えるサポートスライド本体１１０と、サポートスライド本体１１０を腰管２０の調整雄ネジ２１に沿って腰管２０の長手方向所定位置まで螺合させることができるサポートスライド本体回転用のハンドル部１２０と、ハンドル部１２０が備わったサポートスライド本体１１０の位置とは調整雄ネジ２１の中心軸線に関して反対側の位置に備わる円柱状突出部１３０を有している。
【００３６】
サポートスライド本体１１０は、下側に向かって外周径が僅かに小さくなっていくテーパ状の周面となった本体下部１１３と、本体下部１１３の上側にこれと一体に設けられ、本体下部１１３の外周径よりも大きい外周径を有し所定厚さの本体鍔部１１４からなる。そして、本体鍔部１１４の上面は、平面となり後述する円筒体３００のスライド本体当接用鍔部３２０の下面と当接するようになっている。また、サポートスライド部１００を組み付けて腰管２０の調整雄ネジにねじ込んだ状態で、円筒体当接用鍔部３２０と本体鍔部１１４とは互いに当接したまま、一方（円筒体３００）が動かず、他方（サポートスライド本体１１０）が腰管２０の軸線周りに回転できるようになっている。なお、ハンドル部１２０と円柱状突出部１３０は、共にサポートスライド本体１１０の本体下部１１３に備わっている。
【００３７】
ハンドル部１２０は、サポートスライド本体１１０の周面から突出したハンドル支持用突起１２１と、ハンドル支持用突起１２１に一端が回動自在に軸支され、サポートスライド部１００を回転させる際に水平方向に向きを変えた状態で握ることができるハンドルシャフト１２２からなる。ハンドル支持用突起１２１は、２枚の断面矩形の細長い厚板材が互いに間隔を隔てて対向して水平方向に延在し、それらの自由端部近傍に支持軸１２３を介してハンドルシャフト１２２が垂下した状態から水平方向に向けることができるように軸支されている。なお、伸縮アダプタ１０屋見つけた状態で、ハンドル支持用突起１２１と円柱状突出部１３０の上側には、接続板２００の下側面が当接するようになっている。
【００３８】
サポートスライド部１００は、例えば特許文献１において開示された従来のチェーンの備わった型枠仮支持具の腰管に螺合させて用いる既存のサポートスライド部と同一形状を有している。
【００３９】
円筒体３００は、その一方の端部に全周に亘ってサポートスライド本体１１０の本体鍔部１１４の上面に当接するスライド本体当接用鍔部３２０を有すると共に、周面の直径方向対向する位置に支持ピン挿通孔３３０を設けている。なお、スライド本体当接用鍔部３２０をサポートスライド本体１１０の本体鍔部１１４の上部に当接させた状態でのこの双方の合わせた厚さは、接続板２００の後述する鍔部挿入孔２１０の長手方向の長さよりも僅かに薄くなっている。
【００４０】
接続板２００は、略リング形状を有する厚板からなり、サポートスライド本体１１０の本体鍔部１１４全体と円筒体３００のスライド本体当接用鍔部３２０を挿入可能な鍔部挿入孔２１０を有している。つまり、鍔部挿入孔２１０は、サポートスライド本体１１０の本体鍔部１１４全体がその内部に嵌り込むと共に、円筒体３００のスライド本体当接用鍔部３２０が入り込む内径を有している。また、接続板２００の円柱状突出部側にはＵボルト挿通孔２５１が形成され、ハンドル部側には角型ボルト挿通孔２５２が形成されている。また、接続板２００は、その鍔部挿入孔２１０に下方からサポートスライド本体１１０の本体鍔部１１４を完全に挿入した時、接続板２００の下面がサポートスライド本体１１０のハンドル支持用突起１２１と円柱状突出部１３０の上部にそれぞれ当接して、本体鍔部１１４のみが鍔部挿入孔２１０に入り込んで止まるようになっている。
【００４１】
押さえ板４００は、円筒体３００の外径よりも大きい内径であって円筒体３００のスライド本体当接用鍔部３２０の外径よりも小さい内径の円筒体挿通孔４２０を有し、円筒体３００のスライド本体当接用鍔部３２０がサポート本体１１０の本体鍔部１１４の上面に接した状態で、円筒体３００は回転せず、サポート本体１１０の本体鍔部１１４が伸縮アダプタ１００の中心軸線周りに回転可能なようにサポートスライド本体１１０の本体鍔部１１４の上面に円筒体３００のスライド本体当接用鍔部３２０の下面を摺動可能に当接させるようになっている。また、押さえ板４００の円柱状突出部側にはＵボルト挿通孔４５１が形成され、ハンドル部側には角型ボルト挿通孔４５２が形成されている。
【００４２】
円筒体３００のスライド本体当接用鍔部３２０をサポート本体１１０の本体鍔部１１４の上面に摺動可能に当接させながら、押さえ板４００をその上にしっかりと被せた状態で、スライド本体当接用鍔部３２０と本体鍔部１１４の双方を合わせた厚さが接続板２００の鍔部挿入孔２１０の長手方向の長さよりも僅かに薄くなっていることで、円筒体３００は回転しない一方、サポートスライド本体１１０、接続板２００、及び押さえ板４００が一体となって共に回転できるようになっている。
【００４３】
締結具５００は、サポートスライド部１００に接続板２００と円筒体３００と押さえ板４００を取り付ける役目を果たしており、Ｕボルト５１０と角型ボルト５２０及びこれらの端部側に備わる雄ネジ５１１，５２１に螺合するナット５１２，５２２を有している。そして、Ｕボルト５１０の内側の湾曲具合は、サポートスライド部１００の円柱状突出部１３０の外周にぴったりと沿う（接する）形状及び寸法を有している。また、角型ボルト５２０の内側の折り曲げ具合は、サポートスライド部１００のハンドル支持用突起１２１のサポートスライド本体１１０の近傍部分においてそのまわりにぴったりと沿う（接する）形状及び寸法を有している。
【００４４】
Ｕボルト５１０の内側がサポートスライド部１００の円柱状突出部１３０の外周にぴったりと接すると共に、角型ボルト５２０の内側がサポートスライド部１００のハンドル支持用突起１２１のまわりにぴったりと接するようになっているので、腰管２０の調整雄ネジ２１にサポートスライド部１００の雌ネジ部１１１が螺合した状態でハンドルシャフト１２２を水平に向けてこれを握り、伸縮アダプタ１０を腰管２０の周りに回転させると、その回転力（トルク）をサポートスライド部１００の円柱状突出部１３０にしっかりと係合したＵボルト５１０及びハンドル支持用突起１２１にしっかりと係合した角型ボルト５２０を介して伸縮アダプタ全体に均一に伝えることができる。
【００４５】
なお、図１、図３、図４においては、伸縮アダプタ１０を腰管１０の調整雄ネジ２１の適所に移動させた状態で、支持ピン３５を円筒体３００の支持ピン挿通孔３３０、腰管２０の支持ピン挿通用スリット２２、差し込み管３０の特定の支持ピン挿通孔３２に差し込んだ状態を示している。
【００４６】
このような状態で、伸縮アダプタ１０を、１本のハンドルシャフト１２２のみによって腰管周りに回すと、腰管２０の調節雌ネジ２１に対してサポートスライド部１００を螺合させながら、伸縮アダプタ１０を腰管２０の調整雄ネジ２１の長手方向に沿って小さな力でかつ素早く自由な位置に移動させることが可能となる。そして、腰管２０の調整雄ネジ２１に対する伸縮アダプタ１０の移動と同一の方向に同一の長さだけ差し込み管３０が腰管２０から延びたり引っ込んだりする。
【００４７】
続いて、台板２６及び台板受け具６００について説明する。腰管２０の下端部に備わる台板２６は、型枠５０から型枠仮支持具１に作用する力に耐えるべく十分な厚みを有する矩形状の金属板から形成されている。なお、図６（ａ）は、腰管２０の下端部に備わった台板２６を固定する台板受け具６００を示す斜視図である。
【００４８】
台板受け具６００は、型枠仮支持具１の台板２６を、例えば図７（ｂ）に示すように、スラブからなる床面に対して斜めに傾けた状態でしっかりと受けるもので、十分な厚さを有する金属板を特別な形状に曲げてできている。具体的には、スラブに接する平面視矩形状のベース板６１０と、ベース板６１０に対して連結部６２０を介して回動自在に支持された台板挟み込み部６３０を有している。
【００４９】
ベース板６１０は平面視長方形形状を有し、その上面略中央部に連結部６２０の一方の連結部材６２１が設けられ、この長手方向一方の端部近傍に台板受け具固定用のアンカーボルトを挿通するアンカーボルト挿通孔６１５を有している。そして、このボルト挿通孔６２５にアンカーボルトを挿通してスラブにアンカーボルトを固定することによって、台板受け具６００を床面としてのスラブにしっかりと固定するようになっている。
【００５０】
台板挟み込み部６３０は、十分な厚さを有する金属板を一部折り返して形成されており、台板２６の下面と全体的に接する台板当接部６３１と、台板当接部６３１の下面の略中央部に備わった他方の連結部材６２２と、連結部６２０による傾き方向両縁部から台板２６の厚み分程度だけ隙間を有しながら一定の長さだけ折り返された折り返し部６３３を有している。これによって、台板２６を側方から台板受け具６００の台板当接部６３１と折り返し部６３３との間に差し込んで台板２６を台板受け具６００の連結部６２０の回動支持軸６２５を中心として所定の角度範囲内で回動可能にしっかりと保持するようになっている。
【００５１】
そして、台板２６は、図７（ａ）から図７（ｂ）に示すように、台板受け具６００の台板当接部６３１と折り返し部６３３との間に差し込まれ、型枠仮支持具１の下端側において台板２６が台板受け具６００によってしっかりと支持されるようになっている。この際、図７に示すように、アンカーボルト挿通孔６２５が型枠仮支持具１の傾き方向と反対側に位置するように床面であるスラブに台板受け具６００をアンカーボルト６５０によって固定することで、伸縮アダプタ１０を回転させて型枠仮支持具1の全長を短くする際においても、台板受け具６００に作用するモーメントによって台板受け具６００がスラブＳから離れずスラブＳにしっかりと密着固定したものとすることができる。
【００５２】
続いて、受板３７及び受板固定具７００について説明する。差し込み管３０の上端部に備わる受板３７は、伸縮アダプタ１０の回転によって差し込み管３０がコンクリート型枠５０の横バタ材５１をしっかりと押したり引いたりできるのに十分な厚さを有する矩形の金属板でできている。なお、図６（ｂ）は、受板３７を固定した受け板固定具７００をこれが取り付けられた横バタ材５１と共に示す側面図である。
【００５３】
受け板固定具７００は、横バタ材５１を押える横バタ材押さえ部７１０と、横バタ材押さえ部７１０を横バタ材５１にしっかりと押え付ける楔７２０と、受板３７を挟んで固定する挟み込み部７３０と、横バタ材押さえ部７１０と挟み込み部７３０を互いに回動可能に連結する連結部７４０を有している。
【００５４】
挟み込み部７３０は、十分な厚さを有する金属板を一部折り返して形成されており、受板３７の上面と全体的に接する受板当接部７３１と、受板当接部７３１の傾き方向両縁部から受板の厚み分だけ隙間を有しながら一定の長さだけ折り返された折り返し部７３２を有している。そして、受板３７を側方から受け板固定具７００の受板当接部７３１と折り返し部７３２との間に差し込んで折り返し部７３２に設けられた固定ボルト７３５を締め付けて受板３７を受け板固定具７００にしっかりと固定するようになっている。
【００５５】
受け板固定具７００については、現状において一般的に使用されている通常の受け板固定具と基本的に同等の構造を有しているので、現状の受け板固定具を流用可能である。この場合、現状の受け板固定具に備わるチェーン係止部を使用する必要がなくなる。もちろん、チェーン係止部を有さない本発明専用の受け板固定具７００を用意しても良い。
【００５６】
以下、上述した実施形態を一例として示した本発明に係る伸縮アダプタ及びこの伸縮アダプタを備えた型枠仮支持具（以下単に「本発明」とする）の作用について説明する。
【００５７】
本発明によると、伸縮アダプタ１０を腰管２０の所定位置に移動させ、支持ピン３５を円筒体３００の支持ピン挿通孔３３０、腰管２０の支持ピン挿通用スリット２２、差し込み管３０の特定の支持ピン挿通孔３２に差し込む。そして、この状態で、１本のハンドルシャフト１２２を握って伸縮アダプタ１０を回転させてこれを腰管２０の調整雄ネジ２１に沿って移動させるだけで、腰管２０の調整雄ネジ２１に対する伸縮アダプタ１０の移動と同一の方向に同一の長さだけ差し込み管３０を腰管２０から延ばしたり引っ込めたりできる。このようにして本発明に係る型枠仮支持具１を用いることで、コンクリート型枠の歪みの修正や垂直状態の維持などの微調整作業を伸縮アダプタ１０の１本のハンドル１２２の回転操作のみで行うことができる。
【００５８】
上述の調整作業から分るように、従来のように型枠仮支持具にチェーンを用いる必要がなくなるので、課題を解決する欄で述べた従来の問題を解決することができる。具体的には、従来の問題であった施工現場で多数使用する補強材のそれぞれにチェーン及びターンバックルを備えなければならず、施工作業を行うにあたって極めて多数の型枠仮支持具を用意しなければならないため、その分コストが嵩んでしまうが、本発明によるとチエーンとターンバックルを一切必要としないので、極めて多数の型枠仮支持具の全体コストをかなり抑えることができる。
【００５９】
また、ビルやマンション、擁壁のスケジュールは予め定められており、このスケジュール内に天候などを考慮して施工作業を迅速に行わなければならないが、本発明によると、ビルやマンションの外壁や間仕切りの壁、擁壁等を施工する際にコンクリート型枠を取り付ける作業を少ない人員で短期間で迅速に行い、スケジュール通りに施工を完了することができる。
【００６０】
これによって、従来において問題とされていた施工にあたって多数の人員を確保する必要性を解決し、施工者の慢性的な人員不足に対応しながら、施工コストを人件費の面でも抑えることが可能となる。
【００６１】
また、実際の施工現場は非常に狭いスペースの場合が多く、従来ではパイプサポートを取り付けた後にチェーンを取り付けてターンバックルでチェーンの長さを調整する作業を行うと、この狭い作業エリアで多くの作業を行うこととなり、施工者が無理な姿勢で作業を行うことで施工者の身体的負担が増したり、チェーンとターンバックルが邪魔してコンクリートスラブの支持金具に足を引っ掛けて思わぬ怪我をしてしまったりする虞があったが、本発明によるとこのような虞をなくすことができる。
【００６２】
また、従来においては、施工作業を始める際に多数のチェーンを施工現場まで搬送しなければならず、この間にチェーン同士が絡まったりして、実際にそれぞれのパイプシャフトをコンクリートスラブとコンクリート型枠との間に介在させた後、チェーンを取り付けようとする際に多数のチェーン同士が絡まり合ってしまい、これを１本ずつ分けるのに余計な時間を要してしまい、作業効率が低下していたが、本発明によるとこのような問題が生じることはない。
【００６３】
このように、従来の場合、限られた施工者にチェーンとターンバックルを用いた調整作業が必要となくなるので、施工者に多大な作業を短期間で行わせることを強いる必要がなくなり、施工期間中に施工者の疲労が嵩み安全上問題が生じるという従来の問題を解決できる。
【００６４】
以上に加えて、本発明の重要な利点として、従来一般的に使用されている型枠仮支持具及び受け板固定具を、それに備わるチェーン及びターンバックルを除いて全て再利用できることが挙げられる。これによって、本発明専用の腰管や差し込み管、伸縮アダプタ本体、台板、受板、受け板固定具をわざわざ準備する必要がなく、コストをかけずに本発明の上述したメリットを享有することができる。
【００６５】
以下、このように従来の型枠仮支持具の再利用を兼ねた本発明に係る型枠仮支持具の組み立て方について説明する。最初に、従来の型枠仮支持具の腰管の調整雄ネジからサポートスライド部を外し、これに接続板と円筒体と押さえ板をＵボルトと角型ボルト及びナットを用いて組み付けて本発明に係る伸縮アダプタとする。併せて従来の型枠仮支持具に備わっていたチェーンとターンバックルについては使用しないままとする。
【００６６】
そして、この伸縮アダプタを腰管の調整雄ネジに所定位置まで再び螺合させる。そして、腰管に差し込み管を挿入して実際の施工現場における台板受け具と受け板固定具間の距離に対応した位置において差し込み管の支持ピン挿通孔、伸縮アダプタの円筒体の支持ピン挿通孔、腰管の調整雄ネジに形成された支持ピン挿通用スリットの全てに支持ピンを貫通させ、型枠仮支持具の組み立て作業を終える。なお、この組み付け作業は、施工現場で行っても良く、予め適切な長さを決めて施工現場に搬入する前に行っておいても良い。
【００６７】
続いて、以上のように組み付け作業を終えた型枠仮支持具をコンクリート型枠に実際に取り付けて型枠の歪みの修正や垂直状態を維持するための工程について説明する。図７は、本実施形態に係る伸縮アダプタを備えた型枠仮支持具を用いてコンクリート型枠の歪みの修正や垂直出しを行う工程を（図７（ａ））から（図７（ｂ））の順に説明する図であり、各構成要素の寸法関係や大小関係、取り付け位置及び角度状態については概略的に示している。なお、この工程の前に台板受け具を床面であるスラブにアンカーボルトを介して取り付けておくと共に、受け板固定具をコンクリート型枠の横バタ材に固定しておく。
【００６８】
最初に、図７（ａ）に示すように、本発明に係る型枠仮支持具の腰管の台板を台板受け具に差し込むと共に、差し込み管の受板を受け板固定具に差し込んで固定する。と共に、の第１の折り曲げ部に載せる。そして、図７（ｂ）に示すように、コンクリート型枠を押して床面であるスラブに対して適当な角度をなすまで起立させる。この際、図７（ｂ)に示すスラブの鉛直方向と型枠仮支持具との間の角度は約３０度から６０度となる。
【００６９】
この状態で伸縮アダプタのハンドルを横に伸ばして回転させる。これによって、伸縮アダプタのサポートスライド部、接続板、押さえ板は回転するが、サポートスライド部の本体鍔部に当接する円筒体のスライド本体当接用鍔部は回転しない状態を保つ。即ち、円筒体や差し込み管の特定の支持ピン挿通孔、腰管の調整雄ネジの支持ピン挿通用スリットに差し通した支持ピンについては、腰管の中心軸線周りに回転することなく、伸縮アダプタをこれが螺合している腰管の調整雄ネジに沿って移動させることができる。そして、伸縮アダプタのハンドルを握って右回りもしくは左回りに回転させ、これに応じて腰管から差し込み管を僅かに延ばしたり引っ込めたりし、型枠仮支持具の台板と受板との間の距離の微調整を行う。
【００７０】
この際、差し込み管を腰管から押し出すことで、受板は横バタ材を押してコンクリート型枠を型枠仮支持具と反対側の押し方向に傾ける。一方、差し込み管を腰管に引き込むことで、受板は横バタ材を引っ張ってコンクリート型枠を型枠仮支持具が配置されている引き方向に傾ける。
【００７１】
このようにして、コンクリート型枠の歪みを調整したり型枠の垂直起立状態を保つまで伸縮アダプタを腰管の調整雄ネジに沿って最適な位置に達するまで移動させる微調整作業を行う。
【００７２】
本発明によると、上述した調整作業を伸縮アダプタに備わった１本のハンドルを握って回転させるだけで行うことができるので、従来のように一旦押し過ぎた型枠をチェーンとターンパックルを介して再度引いて所望の位置まで調整する２つの工程を上述したように１つの工程で行うことが可能となり、現場で極めて多数取り付けなければならない型枠仮支持具の全ての取り付け作業にかかる時間や手間や労力を格段に低減させることができる。
【００７３】
なお、仮に本実施形態のようなサポートスライド本体を２つ用意してそれぞれ腰管の調整雄ネジに螺合させてこの間に支持ピンを挟んで調整作業を行おうとすると、サポートスライド本体にそれぞれ備わった合計２つの雌ネジを腰管の調整雄ネジに対して独立して調整作業を行うことになる。
【００７４】
たとえば、支持ピンを押し上げる調整作業を行う場合、上側のサポートスライド本体を前もって回してわずか上方に移動させ、下側のサポートスライド本体で支持ピン押し上げるという、上側と下側のサポートスライド本体をそれぞれ交互に操作しなければならない二重三重の操作が必要となる。
【００７５】
このように、サポートスライド本体を２つ用意してそれぞれ腰管の調整雄ネジに螺合させてこの間に支持ピンを挟んで調整作業を行おうとする方式では、腰管に対する差し込み管の押し出し作業若しくは引き込み作業を行うにあたっての微調整する作業が非常に煩雑である。
【００７６】
そのため、コンクリート型枠の歪の修正や垂直状態の維持のための調整作業を全ての多数の型枠仮支持具に対して行うと、時間と手間が大変かかりチェーンとターンバックルを備えた従来の型枠仮支持具の作業工数とさほど変わらない作業工数を必要とし、これでは本発明の課題を解決することはできない。
【００７７】
しかしながら、本発明によると１本のハンドル操作で上述した調整作業を簡単かつ迅速に行うことができ、微調整を行うにあたっても手間をかけずに素早く終えることができるので、本発明の課題を容易に解決することができる。
【００７８】
続いて、本発明の追加的変形例について説明する。この変形例では、擁壁を作る場合のコンクリート型枠の歪みを修正したり垂直状態を維持したりする際に特に有用な差し込み管連結具を用意し、これを用いて差し込み管同士をしっかりと連結して差し込み管自体の長さを長くする。
【００７９】
図８は、差し込み管同士を連結させて擁壁などのコンクリート型枠に本実施形態に係る型枠仮支持具を用いる際に使用する差し込み管連結具を、この両端に差し込み管を接続した状態で示す長手方向側面図（図８（ａ））及び長手方向端面から見た一部断面図（図８（ｂ））である。
【００８０】
差し込み管連結具８００は、長さの短い連結具本体８１０と、ある程度の長さを有しかつ連結具本体８１０の内側に備わる差し込み管押し付け部材８２０と、差し込み管押し付け部材８２０を差し込み管内周面に押し付ける差し込み管拡張部材８３０を有している。
【００８１】
連結具本体８１０は、差し込み管３０と同等の材質でできており、同様の肉厚を有している。そして、連結具本体８１０は、その外径が互いにつなぎ合わせる２本の差し込み管３０の外径とほぼ同一となっている。また、連結具本体８１０は、後述する差し込み管拡張部材８３０の締め付けボルト８３５のオスネジ部８３５ａのみを貫通させる連結具本体貫通孔８１０ａを有している。
【００８２】
差し込み管押し付け部材８２０は、連結具本体８１０と同等の材質でできており、同様の肉厚を有している。そして、差し込み管押し付け部材８２０は、端面視半円弧状を有し、全長が図中に示すように連結する各差し込み管３０にある程度入り込む長さを有している。差し込み管押し付け部材８２０の内周面は、その曲率半径が差し込み管内周面の曲率半径よりも僅かに小さく形成されている。また、差し込み管押し付け部材８２０の幅方向両側の一部は、長手方向全体に亘って内側に折り返されて折り返し部８２１を形成している。
【００８３】
差し込み管拡張部材８３０は、拡張ベース部８３１、傾斜起立部８３２、及び締め付けボルト８３５の組み合わせからなる。拡張ベース部８３１は、連結具本体８１０と同等の材質でできており、連結具本体８１０や差し込み管押し付け部材８２０より厚みのある肉厚を有している。そして、差し込み管拡張部材８３０は、差し込み管押し付け部材８２０と同等の長さを有している。
【００８４】
差し込み管拡張部材８３０は、略中央にメスネジ部８３１ａを有する拡張ベース部８３１と、この拡張ベース部８３１の両側縁部から同一方向に折り曲げられて、この折り曲げられた部分が互いに内側に傾斜して傾斜起立部８３２となっている。
【００８５】
拡張ベース部８３１と傾斜起立部８３２とで端面視略角形Ｕ字状をなし、差し込み管拡張部材全体として端面視楔状をなしている。そして、差し込み管押し付け部材８２０の各折り返し部８２１と差し込み管拡張部材８３０の各傾斜起立部８３２は、それぞれ締め付けボルト８３５によって締め付け始める前において互いに押し付け合わない程度に当接している。また、差し込み管拡張部材８３０の拡張ベース部８３１のメスネジ部８３１ａは、締め付けボルト８３５のオスネジ部８３５ａと螺合するようになっている。また、差し込み管押し付け部材８２０の所定位置には、ここでは図示しない切り込みが形成され、差し込み管拡張部材８３０の楔作用によって連結具本体８１０の内周面にしっかりと押し付けられるようになっている。
【００８６】
また、連結具本体８１０の内周面の差し込み管押し付け部材８２０の各折り返し部８２１間には、端面視円弧状の補強板８５０が連結具本体８１０の内周面に沿って備わっている。そして、補強板８５０には、締め付けボルト挿通用のボルト挿通孔８５１が形成されている。
【００８７】
締め付けボルト８３５を締め付けることで、差し込み管拡張部材８３０が締め付けボルト８３５の頭部８３５ｂに近づくように移動し、拡張ベース部８３１が差し込み管押し付け部材８２０の折り返し部８２１同士の隙間を楔作用により拡げることで、差し込み管押し付け部材８２０の外側面の曲率半径が差し込み管連結具８００を介して連結される各差し込み管３０の内周面の曲率半径より大きくなるように拡げられる。これによって、差し込み管押し付け部材８２０の外周面が、差し込み管連結具８００を介して連結すべき２本の差し込み管３０の内周面に押し付けられ、２本の差し込み管３０の各軸線を一致させたまま互いに離れないようにしっかりと連結する。
【００８８】
上述した差し込み管連結具８００を試作して２本の差し込み管をこの差し込み管連結具を介して実際に連結してみたところ、従来品の差し込み管連結具の問題点、即ちジョイント部において折れたり曲がったりすることがなくなった。また、従来品のジョイントに比較して、連結した差し込み管同士の軸線方向の引き抜き強度が２倍となり、十分な連結力を有する極めて強固な差し込み管連結具を実現することができた。
【００８９】
上述の追加的変形例に係る差し込み管連結具によると、例えばビルやマンションの外壁や間仕切りの壁用のコンクリート型枠を施工する際に用いる所定長さの差し込み管を上述した差し込み管連結具を用いて複数本繋げて十分な強度を保ちながら延長させて長さを長くできる。これにより、例えば５ｍから１０ｍ程度の非常に長さが長くかつ接続部で折れ曲がることのない十分な強度を有するしっかりした差し込み管とすることができ、このような非常に長さの長い差し込み管を必要とする擁壁を施工する際に使用可能となる。
【００９０】
これによって、擁壁を施工する際にのみ用いる長さの長い専用の差し込み管を特別に用意しておく必要がなくなり、擁壁のコンクリート型枠の施工にのみしか用いない長さの長い特別な差し込み管の保管場所の省スペース化を図ると共に、保管場所から擁壁の施工現場までの差し込み管の運搬を従来に比べて格段に楽に行うことができる。
【００９１】
なお、以上の実施形態及びその追加的変形例において説明した内容は、本発明のあくまで具体的一例を示したものであり、本発明の作用を発揮し得る範囲内で様々な態様とすることができる。即ち、上述の実施形態及びその追加的変形例で示した各部品の形状、寸法、個数等については適宜好ましいものに変更可能であることは言うまでもない。
【００９２】
従って、例えば接続板と押さえ板との間に円筒体のスライド本体当接用鍔部を挟んで状態で溶接によって接続板と押さえ板を結合しても良い。
【００９３】
また、台板受け具６００と受板固定具７００を用いることなく、本発明に係る型枠仮支持具のみを用い、例えばビルやマンションなどの建物の各階の床面をなすスラブとその一階上のフロアを形成するためのコンクリート型枠の下面にこの型枠仮支持具を挟みこんで上層階床面形成用のコンクリート型枠の歪の修正や水平状態の維持を保つのに利用しても良い。
【００９４】
続いて、本発明の第２の実施形態（以下、適宜単に「本実施形態」とする）に係る伸縮アダプタ及びこれを備えた型枠仮支持具について図面に基づいて説明する。なお、この伸縮アダプタ及びこれを備えた型枠仮支持具は、第１の実施形態と同様にビルやマンションの外壁や間仕切りの壁、擁壁等を施工する際にコンクリート型枠の歪みの修正を行うと共に、コンクリート型枠をこれが起立する床面に対して垂直に固定するためにコンクリート型枠を押したり引いたりする作業に用いるためのものである。この第２の実施形態に係る型枠仮支持具の基本的構成や実際の使用方法、使用に当たって生じる作用については、第１の実施形態に係る型枠仮支持具と同等のため、共通する部分についての説明は、第１の実施形態に係る型枠仮支持具の説明を流用してその記載を省略する。
【００９５】
続いて、第２の実施形態に係る伸縮アダプタの概略構成について説明する。この第２の実施形態に係る伸縮アダプタは、コンクリート用型枠の仮支持具に用いる伸縮アダプタであって、伸縮アダプタが取り付けられる型枠サポートパイプは、腰管と腰管に一部が挿通して固定される差し込み管を備え、腰管の下端部に台板が備わり上端部から下端部に向けて外周に一定の距離だけ調整雄ネジが形成されると共に、調整雄ネジ形成部の少なくとも一部に腰管の長手方向に沿って腰管の直径方向対向する位置に支持ピン挿通用スリットが形成され、差し込み管の上端部には受け板が備わると共に、差し込み管の長手方向に沿って所定の間隔で差し込み管の直径方向対向する位置に支持ピン挿通孔が形成されている。
【００９６】
そして、伸縮アダプタは、サポートスライド部と、互いに重なり合う上側接続板及び下側接続板からなる接続板と、円筒体と、押さえ板と、締結具を有し、サポートスライド部は、腰管の調整雄ネジに着脱自在にねじ込むことが可能な雌ネジ部を内周に備えるサポートスライド本体と、サポートスライド本体を腰管の調整雄ネジに対して腰管の長手方向所定位置まで螺合させることができると共に、接続板当接部を有したサポートスライド本体回転用のハンドル部と、ハンドル部とサポートスライド本体の直径方向反対側の位置から突出した突出部と、サポートスライド本体に備わった本体鍔部を有し、円筒体は、一方の端部に全周に亘ってスライド本体当接用鍔部を有すると共に、周面の直径方向対向する位置に支持ピン挿通孔を設けている。
【００９７】
接続板は、上側接続板が円筒体のスライド本体当接用鍔部を挿入可能な鍔部挿入孔を備えると共に、下側接続板が腰管を挿通させる腰管挿通穴を有し、腰管挿通穴の内径は、腰管挿通穴の周囲全周に亘って一方の面にサポートスライド部の本体鍔部が当接すると共に他方の面に円筒体のスライド本体当接用鍔部が当接する寸法を有しており、押さえ板は、円筒体の外径よりも大きい内径であって円筒体のスライド本体当接用鍔部の外径よりも小さい内径の円筒体挿通孔を有している。
【００９８】
そして、サポートスライド本体の本体鍔部が下側接続板の腰管挿通穴の一方の面の周囲に全周に亘って当接すると共に円筒体のスライド本体当接用鍔部が下側接続板の腰管挿通穴の他方の面の周囲に全周に亘って当接し、かつスライド本体当接用鍔部が上側接続板の鍔部挿入孔に挿入された状態で、円筒体がその中心軸線周りに回転せずにサポートスライド本体及び接続板が回転可能なように、押さえ板によって円筒体のスライド本体当接用鍔部を下側接続板に押さえるようになっており、締結具は、サポートスライド部に接続板と円筒体と押さえ板を取り付けるようになっている。
【００９９】
そして、伸縮アダプタは、腰管の調整雄ネジの所定位置までねじ込んだ状態で、腰管の支持ピン挿通用スリット及び腰管に差し込んだ差し込み管の支持ピン挿通孔と円筒体の特定の支持ピン挿通孔を合致させて支持ピンを支持ピン挿通用スリット及び特定の支持ピン挿通孔に差し込んだ状態で、伸縮アダプタのハンドル部の腰管軸線周りの回転操作によって調整雄ネジの長手方向に沿って移動可能となっており、腰管の調整雄ネジに対する伸縮アダプタのねじ込み位置に応じて腰管の台板と差し込み管の受板との間隔を調整可能とすることを特徴としている。
【０１００】
以下、本発明の第２の実施形態に来る伸縮アダプタの詳細な構成について図面に基づいて説明する。本発明の第２の実施形態に係る伸縮アダプタ（以下、適宜単に「伸縮アダプタ」とする）について説明する。この伸縮アダプタは、第１の実施形態と基本的な形状は類似しているが、幾つかの点で改良がなされており、第１の実施形態の伸縮アダプタに比べてより使い勝手の良いものになっている。
【０１０１】
なお、第２の実施形態の各構成要素（部品）の符号については、第１の実施形態と異なる部位のみ２０００番台の４桁の符号を付して詳細に説明し、第１の実施形態と同一の構成要素については、同一符号のままその説明を省略するものとする。
【０１０２】
図９は、本発明の第２の実施形態に係る伸縮アダプタとこれを取り付けた型枠仮支持具の一部を示す斜視図である。また、図１０は、図９に示した伸縮アダプタを構成する各部品の分解斜視図である。また、図１１は、図９に示した伸縮アダプタを構成する各部品の分解斜視図である。また、図１２は、図１１に対応する断面図であって、伸縮アダプタを図１１の状態から軸線周りに９０度回転させた状態で示す断面図である。また、図１３は、図９に示した伸縮アダプタ本体の一部断面図（図１３（ａ））、締結具の一方をなすＵボルト（図１３（ｂ））、及び締結具の他方をなす角型ボルト（図１３（ｃ））である。
【０１０３】
なお、以下の説明においては、第１の実施形態と同様に、水平方向、垂直方向（鉛直方向）、上下方向、左右方向については、図９、図１１、図１２に一部を示すと共に、第１の実施形態を説明した図７（ａ）に示すように、型枠仮支持具を水平のスラブに鉛直（垂直）方向に立てた状態を基準として各方向を示すものとする。
【０１０４】
最初に、本実施形態に係る伸縮アダプタ２０００を備えた型枠仮支持具２の構造について説明する。型枠仮支持具２は、腰管２０と、腰管２０に一部が挿通して固定される差し込み管３０を備えている。腰管２０は、その下端部に台板２６（図１４乃至図１６参照）が備わり、上端部から下端部に向けて外周に一定の距離だけ調整雄ネジ２１が形成されると共に、調整雄ネジ２１の一部に腰管２０の長手方向に沿って腰管２０の直径方向対向する位置に支持ピン挿通用スリット２２が形成されている。
【０１０５】
また、差し込み管３０は、その上端部に受け板３７（図１７及び図１９参照）が備わると共に、差し込み管３０の長手方向に沿って所定の間隔で差し込み管の直径方向対向する位置に支持ピン挿通孔３２が形成されている。
【０１０６】
続いて、第２の実施形態に係る伸縮アダプタ２０００について説明する。伸縮アダプタ２０００は、図９乃至図１３に示すように、サポートスライド部１００と、接続板２２００と、円筒体３００と、押さえ板２４００と、これらを締め付ける締結具２５００を有している。
【０１０７】
サポートスライド部１００は、図９及び図１０に示すように、本実施形態では略円筒体形状を有し、腰管２０の調整雄ネジ２１に着脱自在にねじ込むことが可能な雌ネジ部１１１（図１０及び図１３（ａ）参照）が内周面全体に形成された腰管螺合孔１１２を備えるサポートスライド本体１１０と、サポートスライド本体１１０を腰管２０の調整雄ネジ２１に沿って腰管２０の長手方向所定位置まで螺合させることができるサポートスライド本体回転用のハンドル部１２０と、ハンドル部１２０が備わったサポートスライド本体１１０の位置とは調整雄ネジ２１の中心軸線に関して反対側の位置に備わる円柱状突出部１３０を有している。
【０１０８】
サポートスライド本体１１０は、下側に向かって外周径が僅かに小さくなっていくテーパ状の周面となった本体下部１１３と、本体下部１１３の上側にこれと一体に設けられ、本体下部１１３の外周径よりも大きい外周径を有し所定厚さの本体鍔部１１４からなる。そして、本体鍔部１１４の上面は、平面となり後述する接続板２２００の下側接続板２２１０の下面と当接するようになっている。また、サポートスライド部１００を組み付けて腰管２０の調整雄ネジにねじ込んだ状態で、円筒体当接用鍔部３２０と下側接続板２２１０の上面１１４とは互いに当接したまま、一方（円筒体３００）が動かず、他方（サポートスライド本体１１０）が腰管２０の軸線周りに回転できるようになっている。なお、ハンドル部１２０と円柱状突出部１３０は、共にサポートスライド本体１１０の本体下部１１３に備わっている。
【０１０９】
ハンドル部１２０は、サポートスライド本体１１０の周面から突出したハンドル支持用突起１２１と、ハンドル支持用突起１２１に一端が回動自在に軸支され、サポートスライド部１００を回転させる際に水平方向に向きを変えた状態で握ることができるハンドルシャフト１２２からなる。ハンドル支持用突起１２１は、２枚の断面矩形の細長い厚板材が互いに間隔を隔てて対向して水平方向に延在し、それらの自由端部近傍に支持軸１２３を介してハンドルシャフト１２２が垂下した状態から水平方向に向けることができるように軸支されている。なお、本実施形態においては、伸縮アダプタ２０００をつけた状態で、ハンドル支持用突起１２１及び円柱状突出部１３０の上側と接続板２２００の下側面とは少なくとも本体鍔部１１４の厚み分だけ離間しているようになっている。
【０１１０】
なお、サポートスライド部１００は、例えば特許文献１において開示された従来のチェーンの備わった型枠仮支持具の腰管に螺合させて用いる既存のサポートスライド部を使用するようになっている。
【０１１１】
円筒体３００は、その一方の端部に全周に亘って接続板２２００の下側接続板２２１０の上面に当接する下側接続板当接用鍔部３２０を有すると共に、周面の直径方向対向する位置に支持ピン挿通孔３３０を設けている。なお、下側接続板当接用鍔部３２０を下側接続板２２１０の上面に当接させた状態で、下側接続板２２１０の上面に重なる後述する上側接続板２２２０の厚さは、下側接続板当接用鍔部３２０の厚さよりも若干厚くなっている。
【０１１２】
接続板２２００は、略リング形状を有する厚板でできており、下側接続板２２１０と上側接続板２２２０からなる。下側接続板２２１０は、その下面がサポートスライド本体１１０の本体鍔部１１４の上面に当接すると共に、その上面が円筒体３００のスライド本体当接用鍔部３２０の下面と軸線周りに摺動可能に当接するようになっている。そして、下側接続板２２１０には、腰管２０を挿通可能な内径の腰管挿通穴２２１１を有している。また、下側接続板２２１０の円柱状突出部側にはＵボルト挿通孔２２１２が形成され、ハンドル部側には角型ボルト挿通孔２２１３が形成されている。
【０１１３】
上側接続板２２２０は、その下面が下側接続板２２１０に当接すると共に、その上面が後述する押え板２４００の下面と当接するようになっている。そして、上側接続板２２２０の厚みは、円筒体３００の下側接続板当接用鍔部３２０の厚みよりも僅かに大きくなっている。上側接続板２２２０には、円筒体３００の下側接続板当接用鍔部３２０を挿入可能な円筒体鍔部収容穴２２２１を有している。つまり円筒体鍔部収容穴２２２１は、円筒体３００のスライド本体当接用鍔部３２０が入り込む内径を有している。
【０１１４】
即ち、上側接続板２２２０には、円筒体３００の下側接続板当接用鍔部３２０の外径よりも僅かに大きい内径を有する円筒体鍔部収容穴２２２１が備わっている。また、上側接続板２２２０の円柱状突出部側にはＵボルト挿通孔２２２２が形成され、ハンドル部側には角型ボルト挿通孔２２２３が形成されている。
【０１１５】
上述のように、円筒体鍔部収容穴２２２１の内径が、スライド本体当接用鍔部３２０の外径よりも僅かに大きく、かつ下側接続板２２１０の腰管挿通穴２２１１の内径が、スライド本体当接用鍔部３２０の外径よりも小さくなっていることで、円筒体３００のスライド本体当接用鍔部３２０を上側接続板２２２０の円筒体鍔部収容穴２２２１に挿入した状態で、スライド本体当接用鍔部３２０の下面が下側接続板２２１０の腰管挿通穴２２１１の周囲に全周にわたって当接するようになっている。
【０１１６】
以上の構成に基づいて、下側接続板２２１０と上側接続板２２２０を同心に合わせて重ねた状態で、円筒体３００のスライド本体当接用鍔部３２０を上側接続板２２２０の円筒体鍔部収容穴２２２１に挿入すると、スライド本体当接用鍔部３２０の下面が下側接続板２２１０の腰管挿通穴２２１１の周囲に全周にわたって当接して止まるようになっている。
【０１１７】
押さえ板２４００は、円筒体３００の外径よりも大きい内径であって円筒体３００のスライド本体当接用鍔部３２０の外径よりも小さい内径の円筒体挿通孔２４１０を有している。そして、円筒体３００のスライド本体当接用鍔部３２０が下側接続板２２１０の上面に接した状態で、円筒体３００は回転せず、サポート本体１１０と、下側接続板２２１０及び上側接続板２２２０とからなる接続板２２００と、押さえ板２４００が一体となって伸縮アダプタ２０００の中心軸線周りに回転しながら、下側接続板２２１０の上面に円筒体３００のスライド本体当接用鍔部３２０の下面を摺動可能に当接させて、円筒体３００については回転させないようになっている。また、押さえ板２４００の円柱状突出部側にはＵボルト挿通孔２４１１が形成され、ハンドル部側には角型ボルト挿通孔２４１２が形成されている。
【０１１８】
下側接続板２２１０、上側接続板２２２０、円筒体３００、押さえ板２４００の固定方法は以下の通りとなっている。最初に円筒体３００のスライド本体当接用鍔部３２０の下面を下側接続板２２１０の上面に当接させる。そして、円筒体３００と下側接続板２２１０の腰管挿通穴２２１１を同心に保ち、上側接続板２２２０の円筒体鍔部収容穴２２２１を円筒体３００のスライド本体当接用鍔部３２０に嵌め込み、押さえ板２４００の円筒体挿通孔２４１０に円筒体３００を通す。
【０１１９】
そして、下側接続板２２１０のＵボルト挿通孔２２１２と角型ボルト挿通孔２２１３、上側接続板２２２０のＵボルト挿通孔２２２２と角型ボルト挿通孔２２２３、押さえ板２４００のＵボルト挿通孔２４１１と角型ボルト挿通孔２４１２が互いに連通するようにそれぞれの中心軸線周りに位置合わせする。
【０１２０】
即ち、円筒体３００のスライド本体当接用鍔部３２０を接続板２２００の下側接続板２２１０の上面に同心を保つように当接させながら接続板２２００の上側接続板２２２０の円筒体鍔部収容穴２２２１を円筒体３００のスライド本体当接用鍔部３２０の周囲に嵌めて、押さえ板２４００をその上にしっかりと被せた状態で、下側接続板２２１０と上側接続板２２２０と押さえ板２４００を溶接等で互いに結合する。
【０１２１】
円筒体３００のスライド本体当接用鍔部３２０の厚さが接続板２２００の上側接続板２２２０の厚さよりも僅かに薄くなっていることと、円筒体３００のスライド本体当接用鍔部３２０の外径が上側接続板２２２０の円筒体鍔部収容穴２２２１の内径よりも僅かに小さくなっていること、更には押さえ板２４００の円筒体挿通孔２４１０が、円筒体３００の外径よりも大きい内径であって円筒体３００のスライド本体当接用鍔部３２０の外径よりも小さい内径となっていることで、溶接により一体化させた接続板２２００と押さえ板２４００の軸線周りに円筒体３００は自在に回転する。即ち、円筒体３００は、軸線周りに回転しない状態で、溶接により一体化させ円筒体３００と同軸となった接続板２２００と押さえ板２４００のみが独立して共に軸線周りに回転できるようになっている。
【０１２２】
締結具２５００は、サポートスライド部１００に下側接続板２２１０及び上側接続板２２２０からなる接続板２２００と、円筒体３００と、押さえ板２４００を取り付ける役目を果たしており、Ｕボルト２５１０と角型ボルト２５２０及びこれらの端部側に備わる雄ネジ２５１１，２５２１に螺合するナット２５１２，２５２２を有している。そして、Ｕボルト２５１０の内側の湾曲具合は、サポートスライド部１００の円柱状突出部１３０の外周にぴったりと沿う（接する）形状及び寸法を有している。また、角型ボルト２５２０の内側の折り曲げ具合は、サポートスライド部１００のハンドル支持用突起１２１のサポートスライド本体１１０の近傍部分においてそのまわりにぴったりと沿う（接する）形状及び寸法を有している。
【０１２３】
即ち、Ｕボルト２５１０と角型ボルト２５２０は、第１の実施形態に係るＵボルト５１０と角型ボルト５２０の側面視で見た長さよりもその締め付け固定対象となる構造上の違い、即ちサポートスライド部１００と接続板２２００と押さえ板２４００の重なり具合の違いから明らかなように、サポートスライド本体１１０の本体鍔部１１４の厚み部分だけ長く形成されている。
【０１２４】
以上のような構成をとることにより、第１の実施形態と同様に、Ｕボルト２５１０の内側がサポートスライド部１００の円柱状突出部１３０の外周にぴったりと接すると共に、角型ボルト２５２０の内側がサポートスライド部１００のハンドル支持用突起１２１のまわりにぴったりと接するようになっているので、腰管２０の調整雄ネジ２１にサポートスライド部１００の雌ネジ部１１１が螺合した状態でハンドルシャフト１２２を水平に向けてこれを握り、伸縮アダプタ２０００を腰管２０の周りに回転させると、その回転力（トルク）をサポートスライド部１００の円柱状突出部１３０にしっかりと係合したＵボルト２５１０及びハンドル支持用突起１２１にしっかりと係合した角型ボルト２５２０を介して伸縮アダプタ全体に均一に伝えることができる。
【０１２５】
なお、図９、図１１、図１２においては、伸縮アダプタ２０００を腰管１０の調整雄ネジ２１の適所に移動させた状態で、支持ピン３５を円筒体３００の支持ピン挿通孔３３０、腰管２０の支持ピン挿通用スリット２２、差し込み管３０の特定の支持ピン挿通孔３２に差し込んだ状態を示している。
【０１２６】
このような状態で、伸縮アダプタ２０００を、１本のハンドルシャフト１２２のみによって腰管周りに回すと、第１の実施形態と同様に、腰管２０の調節雌ネジ２１に対してサポートスライド部１００を螺合させながら、伸縮アダプタ２０００を腰管２０の調整雄ネジ２１の長手方向に沿って小さな力でかつ素早く自由な位置に移動させることが可能となる。そして、腰管２０の調整雄ネジ２１に対する伸縮アダプタ２０００の移動と同一の方向に同一の長さだけ差し込み管３０が腰管２０から延びたり引っ込んだりする。
【０１２７】
上述した第２の実施形態によると、第１の実施形態のように接続板２００の下側にサポートスライド部１００の上側に備わった本体鍔部１１４がぴったりとはまり込むような凹み部を形成していない。これによって、サポートスライド部１００のサイズが異なりこれに伴って本体鍔部１１４の外径が多少違ったタイプであっても、このような多種類の寸法のサポートスライド部１００を下側接続板２２１０の下面に何れも当接させることができる。
【０１２８】
即ち、本実施形態では様々な寸法のサポートスライド部１００を利用して伸縮アダプタ２０００を組み立てることができるので、現場における利用上の汎用性の高さと使い勝手の良さを向上させることができる。
【０１２９】
また、下側接続板２２１０と上側接続板２２２０が円筒体３００の鍔部を挟んでこれと相対回転可能に保持した状態で溶接等により一体化しているので、サポートスライド部１００に締結具２５００を用いて簡単に取り付けることができるので上述した第１の実施形態よりも使い勝手が更に向上している。
【０１３０】
また、円筒体３００の鍔部は、下側接続板２２１０に当接回転可能な構造となっているので、第１の実施形態のように円筒体３００の鍔部がサポートスライド部１００の鍔部の上面に対して摺動回転することに比べてより回転し易くなっている。そのためサポートスライド部１００のハンドルを回して腰管から差込管を出し入れする際により小さな力でより滑らかにこれを行うことができる。
【０１３１】
また、上述した通り下側接続板２２１０と上側接続板２２２０と押さえ板２４００と円筒体３００とが一体化した中間組立体を成しているので、円筒体３００の押さえ板２４００が挿入される部分のグリス等を注入しておくことで円筒体３００が下側接続板２２１０に対して常に滑らかに摺動回転することができるようになる。これによって、本実施形態の使用に係る伸縮アダプタ２０００の使い勝手を常に良好なものにすることができる。
【０１３２】
続いて、第１の実施形態の型枠仮支持具の伸縮アダプタとは異なる上述した伸縮アダプタ以外の構成要素、即ち第２の実施形態に係る台板受け具及び受板固定具について説明する。最初に、第２の実施形態に係る台板受け具の概略構成について説明する。
【０１３３】
この第２の実施形態に係る台板受け具は、腰管の端部に備わった台板をコンクリートスラブに取り付ける台板受け具であって、台板受け具は、コンクリートスラブに固定されるベース板と、ベース板に対して角度を変えることができる台板支持体と、台板支持体に備わる台板押さえ係合体を有している。
【０１３４】
台板支持体は、腰管に差し込まれる腰管挿通部と、腰管挿通部から延在する台板支持部を有し、腰管挿通部と台板支持部との間に形成される段差部によって台板の所定部分が当接してこれを支持するようになっている。
【０１３５】
台板押さえ係合体は、台板の一片の縁部に係合する係合部と、この係合部の台板との係合解除する係合解除部を有し、係合部は、台板に係合した状態で腰管挿通部と段差部と協働して台板を台板受け具に固定するようになっており、係合解除部は、係合部を台板の縁部から離間させることで係合部と台板との係合を解除し、この解除した状態において腰管を腰管挿通部から抜き出して台板を台板受け具から取り外し可能になったことを特徴としている。
【０１３６】
続いて、この台板受け具の詳細な構造について図面に基づいて説明する。図１４は、腰管の下端部に備わった台板を固定する台板受け具を示す斜視図である。また、図１５は、図１４に示した台板受け具を分解して示す斜視図である。また、図１６は、図１４に示した台板受け具の使用状態を示す側面図である。
【０１３７】
第２の実施形態にかかる台板受け具３０００は、ベース板３１００と腰管２０の下端に備わった台板２６を支持する台板支持体３２００と、台板２６を台板支持体３２００にしっかり固定する台板押さえ係合体３３００からなっている。
【０１３８】
ベース板３１００は、コンクリートスラブにボルト３０２０で固定されるようになっており、台板支持体３２００は、ベース板３１００に対して角度を変えることができるようになっている。
【０１３９】
ベース板３１００は、厚さが厚く細長の鉄の板材からできており、その一端側が幅方向両側から折れ曲がった状態でベース板３１００の上面に対して垂直上方に互いに対向配置するように立上っている。そして、この互いに対向しながら立ち上がった台板支持側結合部は、ベース側起立部３１１０となっている。
【０１４０】
ベース側起立部３１１０の真ん中には、それぞれ貫通孔（図示せず）が設けられこの対向する２つの貫通孔３１１１に十分な太さと強度を有するボルト３０２０が挿通され、ボルト３０２０の頭と反対側のベース側起立部３１１０においてここでは図示しないナットとワッシャで固定されている。
【０１４１】
また、ベース板３１００のコンクリートスラブＳと接する面には、長手方向に所定間隔だけ隔てて本実施形態では２つのボルト挿通孔３１１５（図１５）が形成されている。そして、このボルト挿通孔３１１５を利用してボルト３０２０をコンクリートスラブＳに打ち込むことで、ベース板３１００をコンクリートスラブＳの床にしっかりと固定するようになっている。
【０１４２】
台板支持体３２００は、十分な厚さの鉄の細長い板を端面視角型Ｕ字状となるように折り曲げられて形成されている。そして、台板支持体３２００の長手方向一方の半部は、腰管挿通部３２１０をなし、他方の半部は、台板支持部３２２０をなしている。腰管挿通部３２１０は、台板支持体３２００の底板部３２１１と底板部３２１１の両縁から対向して起立する腰管挿通側起立部３２１２からなっており、台板支持部３２２０は、底板部３２２１と底板部３２２１の両縁から対向して起立する台板支持側起立部３２２２からなっている。
【０１４３】
なお、腰管挿通部３２１０の腰管挿通側起立部３２１２の起立高さは、台板支持部３２２０の台板支持側起立部３２２２の高さよりも低くなっており、この部分に段差部３２２５が形成されている。腰管挿通部３２１０の底板部３２１１と幅方向両縁の腰管挿通側起立部３２１２の寸法は、腰管２０にがたつくことなくぴったりと挿通できると共に、腰管２０から外す際も外し易い寸法となっている。そして、腰管挿通部３２１０を腰管２０に完全に挿通した状態で段差部３２２５に台板２６の底面の腰管開口部周辺に当接し、台板２６をしっかりと支持するようになっている。
【０１４４】
台板支持体３２００の対向する台板支持側起立部３２２２の先端部近傍には、ベース板３１００のベース側起立部３１１０の内側に入り込んで互いに回動可能に回転するための回動穴（図示せず）が設けられている。そして、一方の台板支持側起立部３２２２からボルト３０２０を台板支持側起立部３２２２の２つの回動穴に挿通して先端をベース側起立部３１１０の他方に突出させ、ここでは図示しないワッシャとナットで回動可能に固定するようになっている。
【０１４５】
台板支持体３２００の台板支持側起立部３２２２と腰管挿通側起立部３２１２との間に形成された段差部３２２５の近傍であって台板支持側起立部側には、台板押さえ係合体３３００が設けられている。
【０１４６】
台板押さえ係合体３３００は、十分な厚みのある鉄板でできており、一方の端部が側面視角型Ｕ字状に折り曲げられ台板押さえ用スライド固定部３３１１とこれから延びる延在部３３１２を備える台板押し付け係合部３３１０と、台板押し付け係合部３３１０の延在部３３１２の一方の面（図１６中上側面）の長手方向全体に固定されたボルトホルダ３３２０と、ボルト３３３０と、圧縮スプリング３３４０と、台板押さえ込みナット３３５０を有している。
【０１４７】
そして、台板支持体３２００の台板支持側起立部３２２２によって挟まれた底板部３２２１の支持側起立部３２２２と反対側面（図１６においては右側面）にボルト３３３０の頭部が溶接等により固定されており、ボルト３３３０は底板部３２２１を貫通して台板支持側起立部３２２２の起立方向と同じ方向に突出した状態になっている。
【０１４８】
ボルトホルダ３３２０は、ボルト３３３０が内部を貫通して雄ネジ部３３３１の先端が一端から突き出す程度の長さと内径を有する円筒体３００からできており、その円周上の周方向一部は平らに削られて台板押さえ係合体３３００の折り曲げ部である台板押さえ用スライド固定部３３１１からまっすぐ延びる延在部３３１２の下面に溶接等で固定されている。
【０１４９】
ボルトホルダ３３２０の外径は、これにボルト３３３０を挿通した状態でボルトホルダ３３２０の一端から突出したボルト３３３０の雄ネジ部３３３１に台板押さえ込みナット３３５０をねじ込むことによって、台板押さえ込みナット３３５０がボルトホルダ３３２０の一端に突き当てられる程度の寸法を有している。ボルトホルダ３３２０の直径は、台板支持体３２００の対向する台板支持側起立部３２２２の間隔よりも僅かに小さい直径となっており、ボルト３３３０の雄ネジ部３３３１に台板押さえ込みナット３３５０をねじ込んでいくに従って、この台板支持側起立部３２２２の間にボルトホルダ３３２０が入り込むようになっている。
【０１５０】
そして、台板支持部３２２０の底板部３２２１とボルトホルダ３３２０の底板部３２２１に対向する側の一方の端部との間はある程度離間しており、この部分を通るボルト３３３０の周囲に圧縮スプリング３３４０が介装されている。そして、圧縮スプリング３３４０は、この介装状態においてボルトホルダ３３２０を底板部３２２１から離間する方向に付勢している。
【０１５１】
台板押さえ係合体３３００の幅は、円筒状のボルトホルダ３３２０の直径とほぼ同等となっている。そして、台板押さえ込みナット３３５０をボルト３３３０に向かって締め付けていくことによって、台板押さえ係合体３３００とボルトホルダ３３２０の各先端は、台板支持部３２２０の対向する台板支持側起立部３２２２の間に入り込む程度の幅となっている。
【０１５２】
なお、本実施形態においては、台板押さえ係合体３３００の先端の両端の角部には、台板押さえ込みナット３３５０を締め込んで行った時に台板押さえ係合体３３００の先端側が台板支持側起立部３２２２に引っかかることなくその中に入り込むようにＣ面取り３３１３（図１５）が施されている。
【０１５３】
なお、対向する起立板からなる台板支持側起立部３２２２の幅は、腰管２０の内部に挿入される対向する腰管挿通側起立部３２１２の幅よりも左右の板厚分だけ広くなった幅となっている。その結果、台板押さえ係合体３３００の幅は、これが係合する台板２６の一辺の側縁の幅よりもかなり小さくなっていることが分かる。
【０１５４】
このような構成に基づいて、台板支持体３２００に台板２６を取り付けて固定する場合は、台板支持体３２００の腰管挿通部３２１０を台板２６の下側から腰管２０に挿入すると共に、台板支持側起立部３２２２と腰管挿通側起立部３２１２との間にできた段差部３２２５に台板２６の下面を引っ掛けて、台板２６を台板支持体３２００に仮固定する。そして、台板押さえ込みナット３３５０を締め込んでいくことで、これに応じてボルトホルダ３３２０及び台板押さえ係合体３３００が台板支持体３２００の台板支持側起立部３２２２に近づき、やがてはボルトホルダ３３２０及び台板押さえ係合体３３００の先端側、即ちボルト３３３０の頭に近い側の部分が台板支持側起立部３２２２の間に入り込んでいく。そして、台板押さえ係合体３３００の側面視角形Ｕ字状の台板押さえ用スライド固定部３３１１が台板２６の一辺の縁部のほぼ中央部に押し付けられるようになる。
【０１５５】
これによって、台板支持体３２００の段差部３２２５と台板押さえ係合体３３００の延在部３３１２の上面に押し当てられると共に、台板押さえ用スライド固定部３３１１と台板２６の上側に延びる腰管２０の内部にしっかりと入り込んだ台板支持体３２００の腰管挿通部３２１０の双方で挟み込まれることで、台板２６を台板支持体３２００に確実に固定しながら支持する。
【０１５６】
一方、台板押さえ込みナット３３５０を緩めることにより、ボルトホルダ３３２０がボルト３３３０の台板押さえ込みナット３３５０に当接したまま圧縮スプリング３３４０の付勢力によってボルト３３３０の頭と遠ざかる反対側に台板押さえ込みナット３３５０と共に移動するようになっている。また、台板押さえ係合体３３００もボルトホルダ３３２０と一体になっているため、台板押さえ込みナット３３５０を緩めることにより、台板押さえ係合体３３００の一端にある側面視角形Ｕ字状の台板押さえ用スライド固定部３３１１が台板２６の一辺の縁部から離間してこの台板２６との係合状態が解除され、台板支持体３２００から台板２６を簡単に取り外すことができるようになっている（図１６の二点鎖線で示す台板押さえ用スライド固定部３３１１と台板押さえ込みナット３３５０参照）。
【０１５７】
上述の内容に関連して、台板受け具３０００を施工現場に取り付けた後に台板２６をこの台板受け具３０００で支持する手順ついて作用と共に分かり易く説明する。最初に台板受け具３０００をコンクリートスラブＳの所定位置に位置決めしてボルト３０２０でコンクリートスラブＳにしっかりと固定する。この際、台板受け具自体が小型であるが故に重量も軽く、施工者がこの台板受け具３０００をその取り付け場所まで運んだり取りつけたりする際に施工者の身体的負担を軽くすることができる。
【０１５８】
台板受け具３０００をコンクリートスラブＳにしっかりと通つけた後に台板支持側起立部３２２２をベース板３１００に対して所定の角度だけ傾けた状態で起立させ、台板支持体３２００の腰管挿通側起立部３２１２を、これを取り付けるべき腰管２０の内周部に挿入すると共に、台板２６を台板支持体３２００の段差部３２２５にしっかりと押し付ける。
【０１５９】
この際、ボルトホルダ３３２０と台板押さえ係合体３３００は、台板押さえ込みナット３３５０を締め込んでいく前においては、圧縮スプリング３３４０の付勢力によって台板押さえ込みナット側に押されているので、台板２６を台板支持体３２００に固定する際に、台板押さえ係合体３３００が台板２６の一部に干渉することがない（ぶつかることがない）。
【０１６０】
その結果、腰管２０に台板支持体３２００の腰管挿通側起立部３２１２を素早くかつ簡単に挿入すると共に、台板２６を台板支持体３２００の段差部３２２５にしっかりと押し付けることが可能となる。そして、台板押さえ込みナット３３５０を締め付けることによって、台板押さえ係合体３３００とボルトホルダ３３２０を備えた台板押さえ用スライド固定部３３１１とを腰管２０に向かってスライド移動させていく。
【０１６１】
台板押さえ込みナット３３５０を完全に締め込んでいくと、台板押さえ係合体３３００の台板押さえ用スライド固定部３３１１が台板２６の一辺の側縁の幅方向に中央部にしっかりと押し付けられる。台板２６は、この押し付け力によって台板支持体３２００の段差部３２２５に支持されながら台板支持体３２００に確実に固定される。
【０１６２】
台板受け具３０００は、上述した第１の実施形態に比べてかなり小型であるため、多数の台板２６を保管するスペース上の制約がなくなり、かつ運搬時にも一度に多数の台板受け具３０００を施工現場に運搬することができる。また、施工現場で台板受け具３０００をコンクリートスラブＳに取り付けた際にその取り付け部分のエリアが小さくて済むので、様々なものが乱雑に散らばっている施工現場を歩き回るが施工者が誤って足を引っ掛けて躓いてしまうようなことをなくすことができる。
【０１６３】
また、台板受け具３０００を施工現場で取り付けたり取り外したりする際にも、大きさが小型であるが故に重さも従来よりもはるかに軽量化でき、施工者の身体的な負担を軽減することが可能となり、施工者の施工中の疲労の軽減に貢献することが可能となる。
【０１６４】
これによって、例えば腰管２０を施工現場で何度も手荒く扱うことにより、台板２６の角部が曲がったり反ったり歪んだりして変形することがあるが、このように台板押さえ係合体３３００の幅が台板２６の一辺の幅よりもかなり小さいことに起因して、台板２６の一部が変形している場合であっても、台板２６に台板受け具３０００を問題なく取り付けることができる。
【０１６５】
具体的には、台板２６の変形していない何れか一辺の側縁中央部を利用してその部分に台板押さえ係合体３３００を位置合わせし、台板押さえ込みナット３３５０を締め付けて台板押さえ用スライド固定部３３１１で台板２６の一辺の縁部の中央部とその近傍を挟み込む。
【０１６６】
その結果、腰管２０の台板との開口部の内周面を台板支持体３２００の腰管挿通側起立部３２１２と台板支持側起立部３２２２との間に形成された段差部３２２５にしっかりと押さえ込み、上述のように台板２６の一部が変形している場合であっても、台板２６を台板支持体３２００に確実に固定することができる。
【０１６７】
これによって、台板受け具３０００に台板２６を取り付ける作業も迅速かつ簡単に行うことができ、施工時間の短縮や施工者の疲労軽減に貢献すると共に、施工者が誤って怪我をするようなことを防止することも可能となる。
【０１６８】
一方、台板受け具３０００に取り付けた台板２６を台板受け具３０００から取り外す手順については以下の通りとなる。最初に台板押さえ込みナット３３５０を緩めることにより、ボルトホルダ３３２０がボルト３３３０の台板押さえ込みナット３３５０に当接したまま圧縮スプリング３３４０の付勢力によってボルト３３３０の頭と遠ざかる反対側に台板押さえ込みナット３３５０と共に移動する。
【０１６９】
この際、ボルト３３３０の雄ネジ部３３３１の先端３３３２を潰すように形成しておけば、台板押さえ込みナット３３５０を例えば電動レンチなどで緩めても台板押さえ込みナット３３５０がボルト３３３０の雄ネジ部３３３１の先端から外れてしまうことがない。これによって、ボルト３３３０が雄ネジ部３３３１の先端から外れ、脱落してしまった台板押さえ込みナット３３５０を探すような無駄な手間を省くことができる。
【０１７０】
そして、台板押さえ係合体３３００もボルトホルダ３３２０と一体になっているため、台板押さえ込みナット３３５０を緩めることにより、台板押さえ係合体３３００の一端にある側面視角形Ｕ字状の台板押さえ用スライド固定部３３１１が台板２６の一辺の縁部から離間してこの台板２６との係合状態が解除され、台板支持体３２００から台板２６を簡単に取り外すことができる（図１６の二点鎖線で示す台板押さえ用スライド固定部３３１１と台板押さえ込みナット３３５０参照）。
【０１７１】
これによって、台板２６を台板受け具から取り外す際においても、上述した台板２６を台板受け具３０００に取り付ける場合と同様の効果を発揮することができる。
【０１７２】
具体的には、角部が曲がったり反ったり歪んだりして変形した台板２６であっても、台板押さえ係合体３３００の幅が台板２６の一辺の幅よりもかなり小さいことに起因して、台板２６の変形していない一辺の縁部の中央部とその近傍に台板押さえ係合体３３００を位置合わせし、台板押さえ込みナット３３５０を締め付けて台板押さえ係合体３３００の台板押さえ用スライド固定部３３１１で台板２６の一辺の縁部の中央部とその近傍を挟みこんで固定しているので、台板２６を台板受け具３０００から取り外す際においても、台板２６の角部が曲がったり反ったり歪んだりして変形していても、台板受け具３０００の台板押さえ係合体３３００に引っかかったりして干渉することなく簡単に取り外すことができる。
【０１７３】
その結果、台板２６を台板受け具３０００から取り外す作業も迅速かつ簡単に行うことができ、施工時間の短縮や施工者の疲労軽減に貢献すると共に、施工者が誤って怪我をするようなことを防止することも可能となる。
【０１７４】
続いて、第１の実施形態の型枠仮支持具の伸縮アダプタとは異なる上述した伸縮アダプタ以外のもう一つの構成要素である第２の実施形態に係る受け板固定具について説明する。
【０１７５】
最初に第２の実施形態に係る受け板固定具の概略構成について説明する。この第２の実施形態に係る受け板固定具は、差し込み管の端部に備わった受板を横バタ材に取り付ける受け板固定具であって、受け板固定具は、横バタ材に固定される横バタ材押さえ部と、横バタ材押さえ部に対して角度を変えることができる受板押さえ当接部と、受板押さえ当接部に備わる受板押さえ係合体を有している。
【０１７６】
そして、受板押さえ当接部は、差し込み管に差し込まれる差し込み管挿入部と、差し込み管挿入部から延在する受板押し付け部を有し、差し込み管挿入部と受板押し付け部との間に形成される段差部によって受板の所定部分が当接するようになっている。
【０１７７】
受板押さえ係合体は、受板の一片の縁部に係合する係合部と、この係合部の受板との係合解除する係合解除部を有し、係合部は、受板に係合した状態で差し込み管挿入部と段差部と協働して受板を受け板固定具に固定するようになっており、係合解除部は、係合部を受板の縁部から離間させることで係合部と受板との係合を解除し、この解除した状態において差し込み管を差し込み管挿入部から抜き出して受板を受け板固定具から取り外し可能になったことを特徴としている。
【０１７８】
続いて、第２の実施形態に係る受け板固定具の詳細な構成について図面に基づいて説明する。図１７は、差し込み管の上端に備わる受板固定具をこれが取り付けられた横バタ材と共に示す斜視図である。また、図１８は、図１７に示した受板固定具を分解して示す斜視図である。また、図１９は、図１７に示した受板固定具の使用状態を示す側面図である。
【０１７９】
受板固定具４０００は、横バタ材押さえ部４１００と、受板固定部４２００と、受板押さえ用スライド固定部４３１１を有し、横バタ材押さえ部４１００の一端側に設けたパイプ側連結部４１０１と受板固定部４２００の一端側に設けた受板側連結部４２０１とが互いに回動可能となるように、ボルト４００１及びナット４００２並びにワッシャ（図示せず）を介して連結している。受板固定部４２００は、十分な厚さを有し一定長さの細長い鉄板の長手方向両側を同じ方向に折り曲げて形成されており、その長手方向半分に形成された差し込み管挿入部４２１０と、その長手方向残りの半分に形成された受板押し付け部４２２０と、受板押さえ係合体４３００からなる。
【０１８０】
横バタ材押さえ部４１００は、十分な厚みのある鉄板を折り曲げてできており側面視で横向きとなった角形Ｕ字状を有している。そして、横バタ材押さえ部４１００の上板４１１０と下板４１２０との間で横バタ材５１の外周面をしっかりと挟み込む寸法を有している。横バタ材押さえ部４１００の上板４１１０の先端部近傍には一定長さのスリット４１１１が形成されると共に、下板４１２０の先端部近傍にも上板４１１０のスリット４１１１よりも長さの短い一定長さのスリット４１２１が形成されている。
【０１８１】
そして、横バタ材押さえ部４１００の上板４１１０と下板４１２０の間に横バタ材５１をはめ込み、上板のスリット４１１１から下板のスリット４１２１に向けて十分な厚みを有する楔４００５を差し込むことで横バタ材押さえ部４１００を横バタ材５１にしっかりと固定するようになっている。
【０１８２】
また、横バタ材押さえ部４１００の側板４１３０にはその両端縁部から受板固定部４２００と回動可能に接続する回動連結板（上述したパイプ側連結部４１０１に相当）がそれぞれ平行に延びている。各回動連結板４１３１には横バタ材押さえ部４１００を受板固定部４２００に回動可能にしっかりと接続するボルト貫通穴がそれぞれ形成され、このボルト貫通穴に受板固定部４２００を連結するためのボルト４００１及びナット４００２並びにワッシャ（図示せず）が備わっている。
【０１８３】
受板固定部４２００は、差し込み管挿入部４２１０と受板押し付け部４２２０とから構成されている。差し込み管挿入部４２１０は、厚みが充分ある細長い鉄板の幅方向真中の所定幅を有する底板部４２１１（図１９）と、底板部４２１１からの長手方向両側から同じ方向に起立した差し込みパイプ挿入側起立部４２１２からなる。
【０１８４】
また、受板押し付け部４２２０は、端面視で角型Ｕ字状に折り曲げられており、長手方向に所定の長さだけ伸びた底板部４２２１と、受板固定具４２００の長手方向残りの半部に沿って両縁から差し込みパイプ挿入側起立部４２１２と同じ方向に起立した受板押し付け側起立部４２２２を有している。そして、受板押し付け側起立部４２２２の起立高さは、差込みパイプ挿入側起立部４２１２の起立高さよりも高くなってこの部分に互いに対向する段差部４２２５（図１９）が形成されている。
【０１８５】
差し込み管挿入部４２１０の底板部４２１１と幅方向両縁の差し込みパイプ挿入側起立部４２１２の寸法は、差し込み管３０にがたつくことなくぴったりと挿通できると共に、差し込み管３０から外す際も外し易い寸法となっている。
【０１８６】
そして、差し込み管挿入部４２１０を差し込み管３０に完全に挿通した状態で段差部４２２５に受板３７の底面の差し込み管開口部周辺に当接し、受板３７をしっかりと保持するようになっている。
【０１８７】
受板押し付け部４２２０の対向する受板押し付け側起立部４２２２の先端部近傍には、横バタ材押さえ部４１００の側板４１３０から突出した回動連結板４１３１の内側に入り込んで互いに回動可能に回転するための回動穴（図示せず）が設けられている。そして、ボルト４００１を一方の受板押し付け側起立部４２２２から差し込みパイプ挿入側起立部４２１２の２つの回動穴に挿通して先端を他方の受板押し付け側起立部４２２２に突出させ、ナット４００２とワッシャ（図示せず）とで回動可能に固定するようになっている。
【０１８８】
受板押さえ係合体４３００は、受板固定具４０００の受板押し付け側起立部４２２２と差し込みパイプ挿入側起立部４２１２との間に形成された段差部４２２５の近傍であって受板押し付け側起立部側に設けられている。そして、受板押さえ係合体４３００は、受板押し付け係合部４３１０と、ボルトホルダ４３２０と、ボルト４３３０と、圧縮スプリング４３４０と、受板押さえ込みナット４３５０を有している。
【０１８９】
受板押し付け係合部４３１０は、十分な厚みのある鉄板でできており、側面視角型Ｕ字状に折り曲げられた受板押さえ用スライド固定部４３１１と、受板押さえ用スライド固定部４３１１から延びる延在部４３１２を有している
そして、受板押し付け部４２２０の受板押し付け側起立部４２２２によって挟まれた底板部４２２１の受板押し付け側起立部４２２２と反対側面（図１９における左側面）にボルト４３３０の頭部が溶接等により固定されており、ボルト４３３０は底板部４２２１を貫通して受板押し付け側起立部４２２２の起立方向と同じ方向に突出した状態になっている。
【０１９０】
ボルトホルダ４３２０は、ボルト４３３０が内部を貫通して雄ネジ部４３３１の先端が一端から突き出す程度の長さと内径を有する円筒体からできており、その円周上の周方向一部は平らに削られて受板押し付け係合部４３１０の受板押さえ用スライド固定部４３１１から延びる延在部４３１２の一方の面（図１８では上面）に溶接等で固定されている。
【０１９１】
ボルトホルダ４３２０の外径は、ボルトホルダ４３２０をボルト４３３０に挿通した状態でボルトホルダ４３２０の一端から突出したボルト４３３０の雄ネジ部４３３１に受板押さえ込みナット４３５０をねじ込むことによって、受板押さえ込みナット４３５０がボルトホルダ４３２０の一端に突き当てられる程度の寸法を有している。
【０１９２】
ボルトホルダ４３２０の直径は、受板押し付け部４２２０の対向する受板押し付け側起立部４２２２の間隔よりも僅かに小さい直径となっており、ボルト４３３０の雄ネジ部４３３１（図１９）に受板押さえ込みナット４３５０をねじ込んでいくに従って、この受板押し付け側起立部４２２２の間にボルトホルダ４３２０が入り込むようになっている。
【０１９３】
そして、ボルトホルダ４３２０の受板押さえ込みナット４３５０で締め付ける一方の端部と受板押し付け部４２２０の底板部４２２１との間はある程度離間しており、この部分を通るボルト４３３０の周囲に圧縮スプリング４３４０が介装されている。そして、圧縮スプリング４３４０は、上述の介装状態においてボルトホルダ４３２０を底板部４２２１から離間する方向に付勢している。
【０１９４】
受板押し付け係合部４３１０の幅は、円筒状のボルトホルダ４３２０の直径とほぼ同等となっている。そして、受板押さえ込みナット４３５０をボルト４３３０に締め付けていくことによって、受板押し付け係合部４３１０とボルトホルダ４３２０の各先端は、受板押し付け部４２２０の対向する受板押し付け側起立部４２２２の間に入り込む程度の幅となっている。
【０１９５】
なお、本実施形態においては、受板押し付け係合部４３１０の先端の両端の角部には、受板押さえ込みナット４３５０を締め込んで行った時に受板押し付け係合部４３１０の先端側が受板押し付け側起立部４２２２に引っかかることなくその中に入り込むようにＣ面取り４３１３が施されている（図１８参照）。
【０１９６】
なお、対向する起立板からなる受板押し付け側起立部４２２２の幅は、差し込み管３０の内部に挿入される対向する差し込みパイプ挿入側起立部４２１２の幅よりも左右の板厚分だけ広くなった幅となっている。その結果、受板押し付け係合部４３１０の幅は、これが係合する受板３７の一辺の幅よりもかなり小さくなっていることが分かる。
【０１９７】
このような構成に基づいて、受板固定具４０００に受板３７を取り付けて固定する場合は、受板固定具４０００の差し込み管挿入部４２１０を受板３７の上側から差し込み管３０に挿入すると共に、受板押し付け側起立部４２２２と差し込みパイプ挿入側起立部４２１２との間に形成された段差部４２２５に受板３７を押し付けて、受板３７を受板固定具４２００に仮固定する。
【０１９８】
そして、受板押え込みナット４３５０を締め込んでいくことで、これに応じてボルトホルダ４３２０及び受板押し付け係合部４３１０が受板押し付け部４２２０の受板押し付け側起立部４２２２に近づき、やがてはボルトホルダ４３２０及び受板押し付け係合部４３１０の先端側、即ちボルト４３３０の頭に近い側の部分が受板押し付け側起立部４２２２の間に入り込んでいく。
【０１９９】
続いて、受板押し付け係合部４３１０の側面視角形Ｕ字状の受板押さえ用スライド固定部４３１１が受板３７の一辺の縁部のほぼ中央部に押し付けられるようになる（図１７及び図１９参照）。
【０２００】
これによって、受板３７は、受板固定具４０００の段差４２２５と受板押さえ用スライド固定部４３１１の双方で押さえられると共に、受板固定具４０００の差し込み管挿通部４２１０が、受板３７の下側に延びる差し込み管３０の内部に入り込んだ状態となることで、受板３７を受板固定具４０００にしっかりと固定しながら保持する。
【０２０１】
一方、受板押さえ込みナット４３５０を緩めることで、ボルトホルダ４３２０が受板押さえ込みナット４３５０に当接したまま圧縮スプリング４３４０の付勢力によってボルト４３３０の頭と遠ざかる反対側に受板押さえ込みナット４３５０と共に移動するようになっている。また、受板押し付け係合部４３１０もボルトホルダ４３２０と一体になっているため、受板押さえ込みナット４３５０を緩めることにより、受板押し付け係合部４３１０の一端にある側面視角形Ｕ字状の受板押さえ用スライド固定部４３１１が受板３７から離間して受板３７との係合状態が解除され、差し込み管挿入部４２１０を差し込み管３０から引き抜きながら受板固定具４０００から受板３７を簡単に取り外すことができるようになっている（図１９における二点鎖線で示す受板押さえ用スライド固定部４３１１と受板押さえ込みナット４３５０参照）。
【０２０２】
上述の内容に関連して、受板固定具４０００を施工現場に取り付けた後に受板３７をこの受板固定具で保持する手順について具体的に説明する。最初に受板固定具４０００を横バタ材５１にしっかりと取り付ける。この際、横バタ材押さえ部４１００を横バタ材５１に嵌めて上板４１１０のスリット４１１１と下板４１２０のスリット４１２１に楔４００５をしっかりと打ち込んで取り付ける。
【０２０３】
そして、受板押し付け部４２２０の差し込みパイプ挿入側起立部４２１２に、これを取り付けるべき差し込み管３０の内周部に挿入すると共に、受板３７を受板固定具４０００の段差部４２２５に押し付ける。そして、受板押さえ込みナット４３５０を締め付けることによって、ボルトホルダ４３２０と受板押さえ用スライド固定部４３１１を備えた受板押し付け係合部４３１０を差し込み管３０に向かってスライド移動させていく。
【０２０４】
受板押さえ込みナット４３５０を締め込んでいく前においては、ボルトホルダ４３２０と受板押し付け係合部４３１０は、圧縮スプリング４３４０の付勢力によって受板押さえ込みナット側に押されているので、差し込み管３０の受板３７を受板押し付け部４２２０の差し込みパイプ挿入側起立部４２１２に係合させる際に、受板押し付け係合部４３１０が受板３７の一部に干渉することがない（ぶつかることがない）。そのため、差し込み管３０に受板押し付け部４２２０の差し込みパイプ挿入側起立部４２１２を素早くかつ簡単に挿入することが可能となる。
【０２０５】
そして、受板押さえ込みナット４３５０を完全に締め込んでいくと、受板押し付け係合部４３１０の受板押さえ用スライド固定部４３１１が受板３７の一辺の縁部の中央部及びその近傍をしっかりと挟み込む。これによって、受板３７は、この押し付け力によって受板固定具４０００の段差部４２２５に押し付けられながら受板固定具４０００に固定される。
【０２０６】
受板固定具４０００は、上述した第１の実施形態に比べてかなり小型であるため、多数の受板３７を保管するスペース上の制約がなくなり、かつ運搬時にも一度に多数の受板固定具４０００を施工現場に運搬することができる。また、施工現場で受板固定具４０００を横バタ材５１に取り付けた際にその取付部分のエリアが小さくて済むので、様々なものが乱雑に散らばっている施工現場を歩き回るが誤って足を引っ掛けて躓いてしまうようなことをなくすことができる。
【０２０７】
また、受板固定具４０００を施工現場で取り付けたり取り外したりする際にも、大きさが小型であるが故に重さも従来よりもはるかに軽量化でき、施工者の身体的な負担を軽減することが可能となり、施工者の施工中の疲労の軽減に貢献することが可能となる。
【０２０８】
これによって、例えば差し込み管３０を施工現場で何度も手荒く扱うことにより、受板３７の角部が曲がったり反ったり歪んだりして変形することがあるが、このように受板押し付け係合部４３１０の幅が受板３７の一辺の幅よりもかなり小さいので、受板３７の変形していない一辺の中央部を利用してその部分に受板押し付け係合部４３１０を位置合わせし、受板押さえ込みナット４３５０を締め付けて受板押し付け係合部４３１０の受板押さえ用スライド固定部４３１１によって受板３７の一辺の側縁を問題なく挟み込むことができる。
【０２０９】
その結果、差し込み管３０の受板３７との開口部の内周面を受板押し付け部４２２０の差し込みパイプ挿入側起立部４２１２と受板押し付け側起立部４２２２との間に形成された段差部４２２５にしっかりと押し付けるようになり、差し込み管３０を受板固定具４０００に確実に固定することができる。
【０２１０】
これによって、受板固定具４０００に受板３７を取り付ける作業も迅速かつ簡単に行うことができ、施工時間の短縮や施工者の疲労軽減に貢献すると共に、施工者が誤って怪我をするようなことを防止することも可能となる。
【０２１１】
一方、受板固定具４０００に取り付けた受板３７を受板固定具４０００から取り外す手順については以下の通りとなる。最初に受板押さえ込みナット４３５０を緩めることにより、ボルトホルダ４３２０がボルト４３３０の受板押さえ込みナット４３５０に当接したまま圧縮スプリング４３４０の付勢力によってボルト４３３０の頭と遠ざかる反対側に受板押さえ込みナット４３５０と共に移動する。この際、ボルト４３３０の雄ネジ部４３３１の先端を潰すように形成しておけば、受板押さえ込みナット４３５０を例えば電動レンチなどで緩めても受板押さえ込みナット４３５０がボルト４３３０の雄ネジ部４３３１の先端から外れてしまうことがない。これによって、ボルト４３３０の雄ネジ部４３３１の先端から外れ、脱落してしまった受板押さえ込みナット４３５０を探すような無駄な手間を省くことができる。
【０２１２】
そして、受板押し付け係合部４３１０もボルトホルダ４３２０と一体になっているため、受板押さえ込みナット４３５０を緩めることにより、受板押し付け係合部４３１０の一端にある側面視角形Ｕ字状の受板押さえ用スライド固定部４３１１が受板３７から離間してこの受板３７との係合状態が解除され、差し込み管挿入部４２１０を差し込み管３０から引き抜きながら受板固定具４０００から受板３７を簡単に取り外すことができる（図１９における二点鎖線で示す受板押さえ用スライド固定部４３１１と受板押さえ込みナット４３５０参照）。
【０２１３】
これによって、受板３７を受板固定具４０００から取り外す際においても、上述した受板３７を受板固定具４０００に取り付ける場合と同様の効果を発揮することができる。
【０２１４】
具体的には、角部が曲がったり反ったり歪んだりして変形した受板３７であっても、受板押し付け係合部４３１０の幅が受板３７の一辺の幅よりもかなり小さいので、受板３７の変形していない一辺の縁部の中央部及びその近傍を利用してその部分に受板押し付け係合部４３１０を位置合わせすることができる。これによって、受板押さえ込みナット４３５０を締め付けて幅の狭い受板押し付け係合部４３１０の受板押さえ用スライド固定部４３１１で受板３７の一辺の縁部の一部を挟んで固定することができる。そのため、受板３７を受板固定具４０００から取り外す際においても、曲がったり反ったり歪んだりして変形した受板３７の角部が、受板固定具４０００の受板押し付け係合部４３１０に引っかかったりして干渉することなく簡単に取り外すことができる。
【０２１５】
その結果、受板３７を受板固定具４０００から取り外す作業も迅速かつ簡単に行うことができ、施工時間の短縮や施工者の疲労軽減に貢献すると共に、施工者が誤って怪我をするようなことを防止することも可能となる。
【符号の説明】
【０２１６】
１・・型枠仮支持具、１０・・伸縮アダプタ、２０・・腰管、２１・・調整雄ネジ、２２・・支持ピン挿通用スリット、３２・・支持ピン挿通孔、２６・・台板、３０・・差し込み管、３５・・支持ピン、３７・・受板、５０・・（コンクリート）型枠、５１・・横バタ材、１００・・サポートスライド部、１１０・・サポートスライド本体、１１１・・雌ネジ部、１１２・・腰管螺合孔、１１３・・本体下部、１１４・・本体鍔部、１２０・・ハンドル部、１２１・・ハンドル支持用突起、１２２・・ハンドルシャフト、１３０・・円柱状突出部、２００・・接続板、２０１・・接続板表面、２１０・・鍔部挿入孔、２５１・・Ｕボルト挿通孔、２５２・・角型ボルト挿通孔、３００・・円筒体、３２０・・スライド本体当接用鍔部、３３０・・支持ピン挿通孔、４００・・押さえ板、４２０・・円筒体挿通孔、４５１・・Ｕボルト挿通孔、４５２・・角型ボルト挿通孔、５００・・締結具、５１０・・Ｕボルト、５２０・・角型ボルト
２０００・・伸縮アダプタ、２２００・・接続板、２２１０・・下側接続板、２２１１・・腰管挿通穴、２２１２・・Ｕボルト挿通孔、２２１３・・角型ボルト挿通孔、２２２０・・上側接続板、２２２１・・円筒体鍔部収容穴、２２２２・・Ｕボルト挿通孔、２２２３・・角型ボルト挿通孔、２４００・・押さえ板、２４１０・・円筒体挿通孔、２４１１・・Ｕボルト挿通孔、２４１２・・角型ボルト挿通孔、２５００・・締結具、２５１０・・Ｕボルト、２５１１・・雄ネジ、２５１２・・ナット、２５２０・・角型ボルト、２５２１・・雄ネジ、２５２２・・ナット
３０００・・台板受け具、３０２０・・ボルト、３１００・・ベース板、３１１０・・ベース側起立部、３１１１・・貫通孔、３１１５・・ボルト挿通孔、３２００・・台板支持体、３２１０・・腰管挿通部、３２１１・・底板部、３２１２・・腰管挿通側起立部、３２２０・・台板支持部、３２２１・・底板部、３２２２・・台板支持側起立部、３２２５・・段差部、３３００・・台板押さえ係合体、３３１０・・台板押し付け係合部、３３１１・・台板押さえ用スライド固定部、３３１２・・延在部、３３１３・・Ｃ面取り、３３２０・・ボルトホルダ、３３３０・・ボルト、３３３１・・雄ネジ部、３３４０・・圧縮スプリング、３３５０・・台板押さえ込みナット、
４０００・・受板固定具、４００１・・ボルト、４００２・・ナット、４００５・・楔、４１００・・横バタ材押さえ部、４１０１・・パイプ側連結部、４１１０・・上板、４１１１・・スリット、４１２０・・下板、４１２１・・スリット、４１３０・・側板、４１３１・・回動連結板、４２００・・受板固定部、４２０１・・受板側連結部、４２１０・・差し込み管挿入部、４２１１・・底板部、４２１２・・差し込みパイプ挿入側起立部、４２２０・・受板押し付け部、４２２１・・底板部、４２２２・・受板押し付け側起立部、４２２５・・段差部、４３００・・受板押さえ係合体、４３１０・・受板押し付け係合部、４３１１・・受板押さえ用スライド固定部、４３１２・・延在部、４３１３・・Ｃ面取り、４３２０・・ボルトホルダ、４３３０・・ボルト、４３３１・・雄ネジ部、４３４０・・圧縮スプリング、４３５０・・受板押さえ込みナット
Ｓ・・スラブ
【図１】
2018172958.tif 000003
【図２】
2018172958.tif 000004
【図３】
2018172958.tif 000005
【図４】
2018172958.tif 000006
【図５】
2018172958.tif 000007
【図６】
2018172958.tif 000008
【図７】
2018172958.tif 000009
【図８】
2018172958.tif 000010
【図９】
2018172958.tif 000011
【図１０】
2018172958.tif 000012
【図１１】
2018172958.tif 000013
【図１２】
2018172958.tif 000014
【図１３】
2018172958.tif 000015
【図１４】
2018172958.tif 000016
【図１５】
2018172958.tif 000017
【図１６】
2018172958.tif 000018
【図１７】
2018172958.tif 000019
【図１８】
2018172958.tif 000020
【図１９】
2018172958.tif 000021
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピンを通すための支持ピン挿通用スリットが形成され、前記差し込み管の上端部には受け板が備わると共に、前記差し込み管の長手方向に沿って所定の間隔で当該差し込み管の直径方向対向する位置に前記支持ピンを通すための支持ピン挿通孔が形成されており、
前記伸縮アダプタは、サポートスライド部と、接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘って前記本体鍔部に当接するスライド本体当接用鍔部を有すると共に、周面の直径方向対向する位置に支持ピン挿通孔を設け、
前記接続板は、前記本体鍔部及び前記スライド本体当接用鍔部を挿入可能な鍔部挿入孔を備え、
前記押さえ板は、前記円筒体の外径よりも大きい内径であって前記円筒体のスライド本体当接用鍔部の外径よりも小さい内径の円筒体挿通孔を有し、前記サポートスライド本体の本体鍔部が前記接続板の鍔部挿入孔に挿入されかつ前記円筒体のスライド本体当接用鍔部が前記本体鍔部に当接した状態で、前記円筒体がその中心軸線周りに回転せずに前記サポートスライド本体及び前記接続板が回転可能なように前記円筒体を前記サポートスライド本体の本体鍔部に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴とする伸縮アダプタ。
【請求項２】
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピンを通すための支持ピン挿通用スリットが形成され、前記差し込み管の上端部には受け板が備わると共に、前記差し込み管の長手方向に沿って所定の間隔で当該差し込み管の直径方向対向する位置に前記支持ピンを通すための支持ピン挿通孔が形成されており、
前記伸縮アダプタは、サポートスライド部と、互いに重なり合う上側接続板及び下側接続板からなる接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘ってスライド本体当接用鍔部を有すると共に、周面の直径方向対向する位置に支持ピン挿通孔を設け、
前記接続板は、前記上側接続板が前記円筒体のスライド本体当接用鍔部を挿入可能な鍔部挿入孔を備えると共に、前記下側接続板が前記腰管を挿通させる腰管挿通穴を有し、当該腰管挿通穴の内径は、当該腰管挿通穴の周囲全周に亘って一方の面に前記サポートスライド部の本体鍔部が当接すると共に他方の面に前記円筒体のスライド本体当接用鍔部が当接する寸法を有しており、
前記押さえ板は、前記円筒体の外径よりも大きい内径であって前記円筒体のスライド本体当接用鍔部の外径よりも小さい内径の円筒体挿通孔を有し、
前記サポートスライド本体の本体鍔部が前記下側接続板の腰管挿通穴の一方の面の周囲に全周に亘って当接すると共に前記円筒体のスライド本体当接用鍔部が前記下側接続板の腰管挿通穴の他方の面の周囲に全周に亘って当接し、かつ前記スライド本体当接用鍔部が前記上側接続板の鍔部挿入孔に挿入された状態で、前記円筒体がその中心軸線周りに回転せずに前記サポートスライド本体及び前記接続板が回転可能なように、前記押さえ板によって前記円筒体のスライド本体当接用鍔部を前記下側接続板に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴とする伸縮アダプタ。
【請求項３】
前記接続板と押さえ板は、前記円筒体のスライド本体当接用鍔部を挟んだ状態で溶接によって互いに結合されていることを特徴とする請求項１又は請求項２に記載の伸縮アダプタ。
【請求項４】
請求項１乃至請求項３の何れかに記載の伸縮アダプタに加えて、腰管、差し込み管、支持ピンを備えたことを特徴とする型枠仮支持具。
【請求項５】
請求項４に記載の腰管の端部に備わった台板をコンクリートスラブに取り付ける台板受け具であって、
前記台板受け具は、前記コンクリートスラブに固定されるベース板と、ベース板に対して角度を変えることができる台板支持体と、台板支持体に備わる台板押さえ係合体を有しており、
前記台板支持体は、前記腰管に差し込まれる腰管挿通部と、腰管挿通部から延在する台板支持部を有し、前記腰管挿通部と台板支持部との間に形成される段差部によって前記台板の所定部分が当接してこれを支持するようになっており、
前記台板押さえ係合体は、前記台板の一片の縁部に係合する係合部と、この係合部の前記台板との係合解除する係合解除部を有し、
前記係合部は、前記台板に係合した状態で前記腰管挿通部と前記段差部と協働して前記台板を前記台板受け具に固定するようになっており、
前記係合解除部は、前記係合部を前記台板の縁部から離間させることで前記係合部と前記台板との係合を解除し、この解除した状態において前記腰管を前記腰管挿通部から抜き出して前記台板を前記台板受け具から取り外し可能になったことを特徴とする台板受け具。
【請求項６】
請求項４に記載の差し込み管の端部に備わった受板を横バタ材に取り付ける受け板固定具であって、
受け板固定具は、横バタ材に固定される横バタ材押さえ部と、横バタ材押さえ部に対して角度を変えることができる受板押さえ当接部と、前記受板押さえ当接部に備わる受板押さえ係合体を有しており、
前記受板押さえ当接部は、差し込み管に差し込まれる差し込み管挿入部と、差し込み管挿入部から延在する受板押し付け部を有し、前記差し込み管挿入部と受板押し付け部との間に形成される段差部によって前記受板の所定部分が当接するようになっており、
前記受板押さえ係合体は、前記受板の一片の縁部に係合する係合部と、この係合部の受板との係合解除する係合解除部を有し、
前記係合部は、前記受板に係合した状態で前記差し込み管挿入部と前記段差部と協働して前記受板を前記受け板固定具に固定するようになっており、
前記係合解除部は、前記係合部を前記受板の縁部から離間させることで前記係合部と前記受板との係合を解除し、この解除した状態において前記差し込み管を前記差し込み管挿入部から抜き出して前記受板を前記受け板固定具から取り外し可能になったことを特徴とする受け板固定具。
【手続補正２】
【補正対象書類名】明細書
【補正対象項目名】００１６
【補正方法】変更
【補正の内容】
【００１６】
上述の課題を解決するために、本発明の請求項１に係る伸縮アダプタは、
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピンを通すための支持ピン挿通用スリットが形成され、前記差し込み管の上端部には受け板が備わると共に、前記差し込み管の長手方向に沿って所定の間隔で当該差し込み管の直径方向対向する位置に前記支持ピンを通すための支持ピン挿通孔が形成されており、
前記伸縮アダプタは、サポートスライド部と、接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘って前記本体鍔部に当接するスライド本体当接用鍔部を有すると共に、周面の直径方向対向する位置に支持ピン挿通孔を設け、
前記接続板は、前記本体鍔部及び前記スライド本体当接用鍔部を挿入可能な鍔部挿入孔を備え、
前記押さえ板は、前記円筒体の外径よりも大きい内径であって前記円筒体のスライド本体当接用鍔部の外径よりも小さい内径の円筒体挿通孔を有し、前記サポートスライド本体の本体鍔部が前記接続板の鍔部挿入孔に挿入されかつ前記円筒体のスライド本体当接用鍔部が前記本体鍔部に当接した状態で、前記円筒体がその中心軸線周りに回転せずに前記サポートスライド本体及び前記接続板が回転可能なように前記円筒体を前記サポートスライド本体の本体鍔部に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴としている。
【手続補正３】
【補正対象書類名】明細書
【補正対象項目名】００１７
【補正方法】変更
【補正の内容】
【００１７】
また、本発明の請求項２に係る伸縮アダプタは、
コンクリート用型枠の仮支持具に用いる伸縮アダプタであって、
前記伸縮アダプタが取り付けられる型枠サポートパイプは、腰管と当該腰管に一部が挿通して固定される差し込み管を備え、前記腰管の下端部に台板が備わり上端部から下端部に向けて外周に一定の距離だけ調整雄ネジが形成されると共に、前記調整雄ネジ形成部の少なくとも一部に前記腰管の長手方向に沿って当該腰管の直径方向対向する位置に支持ピンを通すための支持ピン挿通用スリットが形成され、前記差し込み管の上端部には受け板が備わると共に、前記差し込み管の長手方向に沿って所定の間隔で当該差し込み管の直径方向対向する位置に前記支持ピンを通すための支持ピン挿通孔が形成されており、
前記伸縮アダプタは、サポートスライド部と、互いに重なり合う上側接続板及び下側接続板からなる接続板と、円筒体と、押さえ板と、締結具を有し、
前記サポートスライド部は、前記腰管の調整雄ネジに着脱自在にねじ込むことが可能な雌ネジ部を内周に備えるサポートスライド本体と、当該サポートスライド本体を前記腰管の調整雄ネジに対して当該腰管の長手方向所定位置まで螺合させることができると共に、接続板当接部を有したサポートスライド本体回転用のハンドル部と、前記ハンドル部と前記サポートスライド本体の直径方向反対側の位置から突出した突出部と、前記サポートスライド本体に備わった本体鍔部を有し、
前記円筒体は、一方の端部に全周に亘ってスライド本体当接用鍔部を有すると共に、周面の直径方向対向する位置に支持ピン挿通孔を設け、
前記接続板は、前記上側接続板が前記円筒体のスライド本体当接用鍔部を挿入可能な鍔部挿入孔を備えると共に、前記下側接続板が前記腰管を挿通させる腰管挿通穴を有し、当該腰管挿通穴の内径は、当該腰管挿通穴の周囲全周に亘って一方の面に前記サポートスライド部の本体鍔部が当接すると共に他方の面に前記円筒体のスライド本体当接用鍔部が当接する寸法を有しており、
前記押さえ板は、前記円筒体の外径よりも大きい内径であって前記円筒体のスライド本体当接用鍔部の外径よりも小さい内径の円筒体挿通孔を有し、
前記サポートスライド本体の本体鍔部が前記下側接続板の腰管挿通穴の一方の面の周囲に全周に亘って当接すると共に前記円筒体のスライド本体当接用鍔部が前記下側接続板の腰管挿通穴の他方の面の周囲に全周に亘って当接し、かつ前記スライド本体当接用鍔部が前記上側接続板の鍔部挿入孔に挿入された状態で、前記円筒体がその中心軸線周りに回転せずに前記サポートスライド本体及び前記接続板が回転可能なように、前記押さえ板によって前記円筒体のスライド本体当接用鍔部を前記下側接続板に押さえるようになっており、
前記締結具は、前記サポートスライド部に前記接続板と円筒体と押さえ板を取り付けるようになっており、
前記伸縮アダプタは、前記腰管の調整雄ネジの所定位置までねじ込んだ状態で、前記腰管の支持ピン挿通用スリット及び前記腰管に差し込んだ差し込み管の支持ピン挿通孔と前記円筒体の特定の支持ピン挿通孔を合致させて前記支持ピンを前記支持ピン挿通用スリット及び前記特定の支持ピン挿通孔に差し込んだ状態で、当該伸縮アダプタのハンドル部の前記腰管軸線周りの回転操作によって調整雄ネジの長手方向に沿って移動可能となっており、前記腰管の調整雄ネジに対する前記伸縮アダプタのねじ込み位置に応じて前記腰管の台板と前記差し込み管の受板との間隔を調整可能とすることを特徴としている。